【手続補正書】
【提出日】平成27年1月13日(2015.1.13)
【手続補正１】
【補正対象書類名】明細書
【補正対象項目名】全文
【補正方法】変更
【補正の内容】
【発明の詳細な説明】
【発明の名称】メモリ性を有する画像表示装置
【技術分野】
【０００１】
この発明は、メモリ性を有する画像表示装置に係り、詳しくは、電子書籍や電子新聞などの電子ペーパ表示装置に用いて好適なメモリ性を有する画像表示装置に関する。
【背景技術】
【０００２】
“読む”という行為をストレス無しに行い得る表示装置として、電子書籍や電子新聞などと呼ばれる電子ペーパ表示装置の開発が行われている。この種の電子ペーパ表示装置には、薄型で、軽量で、割れ難く、その上、低消費電力であることが要求されるため、メモリ性を有する表示素子で構成されることが望ましい。メモリ性を有する表示装置に用いられる表示素子としては、従来から、電気泳動表示素子やコレステリック液晶などが知られているが、近年は、２種類以上の帯電粒子を用いた電気泳動表示素子が注目されている。この明細書において、電気泳動表示素子とは、電子粉流体素子など、帯電粒子が移動することで表示を行う素子を含む概念である。
【０００３】
以下、従来の白黒表示のアクティブマトリクス駆動方式の電気泳動表示装置について説明する。この電気泳動表示装置は、ＴＦＴガラス基板と、電気泳動表示素子フィルムと、対向基板とが、この順に積層されて構成されている。上記ＴＦＴガラス基板には、マトリクス状に多数配列されたスイッチング素子である薄膜トランジスタ（以下、ＴＦＴともいう）と、各ＴＦＴにそれぞれ接続される画素電極、ゲート線、データ線が設けられている。上記電気泳動表示素子フィルムは、ポリマーのバインダー中に約４０μｍのマイクロカプセルが敷き詰められて形成されている。このマイクロカプセル内部には溶媒が注入されており、溶媒中には、正負に帯電した２種類のナノ粒子、すなわちマイナスに帯電した酸化チタン粒子などの白色顔料と、プラスに帯電した炭素粒子などの黒色顔料とが分散浮遊する状態で封じ込められている。また、上記対向基板には、基準電位を与える対向電極（共通電極ともいう）が形成されている。
【０００４】
電気泳動表示装置の動作は、画素データに対応した電圧を、画素電極と対向電極の間に印加して、白色顔料と黒色顔料とを上下に移動させることで行う。すなわち、画素電極にプラスの電圧を印加したときは、マイナスに帯電した白色顔料が画素電極に寄り集まるのに対して、プラスに帯電した黒色顔料は対向電極に寄り集まるので、対向電極側を表示面とすると、画面には黒が表示される。これに対して、画素電極にマイナスの電圧を印加したときは、プラスに帯電した黒色顔料が画素電極に寄り集まるのに対して、マイナスに帯電した白色顔料が対向電極に集まるので、画面には白が表示されることになる。次に、画像を白表示から黒表示に切り替えるときには、画素電極にプラスの信号電圧を与え、黒表示から白表示に切り替えるときには、画素電極にマイナスの信号電圧を印加し、現在の画像を維持するとき、つまり、白表示から白表示へ、黒表示から黒表示へ表示するときは、０Ｖを印加する。このように、電気泳動表示素子はメモリ性を持っているので、現画面（前画面）と次画面（更新画面）とを比較することで、印加すべき信号が決定されることになる。
【０００５】
以上では、白黒表示のマイクロカプセル型電気泳動表示装置についての説明を行ったが、電気泳動表示素子の紙に近い白黒の優れた表示状態を損なわずに、カラーフィルターを用いないで、カラー表示ができる表示装置が求められており、１画素単位でも、明るいカラー表示が可能な電気泳動表示装置が開発されている。
たとえば、特許文献１には、一対の基板と、該一対の基板の間隙に封入された分散媒と、分散媒に含まれ、正負いずれかの同一極性に帯電した、互いに色の異なる３色（たとえば、シアンC、マジェンタM、イエローY）の電気泳動粒子と、電気泳動粒子を保持するための白色（W）の保持体から構成されているカラー電気泳動表示装置が記載されている。特許文献１の装置では、色の異なる３色の電気泳動粒子は移動を開始する電圧（以下、しきい値電圧ともいう）がそれぞれ異なるように設定されていて、各々のしきい値電圧（絶対値）の違いを利用して電圧を印加することで、１つのセルで白色（W）、黒色（K）の他にシアン（C）、マジェンタ（M）、イエロー（Y）やこれらＣ、Ｍ、Ｙの２次色、３次色を表示できるようにしている。
【０００６】
また、特許文献２には、第一の極性に帯電された黒色粒子と、それと逆極性に帯電された第二帯電粒子（電気泳動粒子）と、それらを泳動可能に分散させる液体分散媒と、それらを封入した複数種類のマイクロカプセルを層状にしきつめた電気泳動表示素子フィルムを用いるカラー電気泳動表示装置が開示されている。特許文献２のマイクロカプセルは、マイクロカプセルの種類毎に、帯電量が互いに異なる赤（Ｒ）、緑（Ｇ）、青（Ｂ）の第２帯電粒子が封入されて構成されている。このように、第２帯電粒子Ｒ、Ｇ、Ｂの帯電量が互いに異なることに起因して、第２帯電粒子Ｒ、Ｇ、Ｂのしきい値電圧が各色毎に異なることを利用して、特許文献１と同様に、カラーフィルターを用いることなく、明るいカラー表示を得ることができるようにしている。
【０００７】
また、特許文献３には、互いに色の異なるシアン（Ｃ）、マジェンタ（Ｍ）、イエロー（Ｙ）の３色ではなく、それらに黒（Ｋ）を加えた４色の電気泳動粒子を用いるカラー電気泳動表示素子が開示されている。
【先行技術文献】
【特許文献】
【０００８】
【特許文献１】特許第４０４９２０２号
【特許文献２】特許第４３８５４３８号
【特許文献３】特開２００９−４７７３７号公報
【発明の概要】
【発明が解決しようとする課題】
【０００９】
要するに、特許文献１、２、３には、帯電粒子Ｃ、Ｍ、Ｙ（または、帯電粒子Ｒ、Ｇ、Ｂ）が互いに異なる３つのしきい値電圧をもつことで、カラー表示を実現できることが開示されている。しかし、実際には、３つの帯電粒子Ｃ、Ｍ、Ｙを同一の画素電極において、しきい値電圧の違いを利用して駆動してカラー表示を行うため、目標の表示色を実現するための駆動は非常に複雑である。
この問題について、図２７および図２８を参照して、特許文献１に記載の電気泳動粒子の振る舞いで説明する。以下、電気泳動粒子（帯電粒子）Ｃ、Ｍ、Ｙのしきい値電圧を、それぞれＶｔｈ(c)、Ｖｔｈ(m)、Ｖｔｈ(y)として、|Ｖｔｈ(c)|<|Ｖｔｈ(m)|<|Ｖｔｈ(y)|の関係が成立すると仮定する。また、印加電圧Ｖ1、Ｖ２、Ｖ３は、|Ｖｔｈ(c)|<|Ｖ３|<|Ｖｔｈ(m)|、|Ｖｔｈ(m)|<|Ｖ２|<|Ｖｔｈ(y)、|Ｖｔｈ（y）|＜|Ｖ1|の関係を満たすものとする。図２７および図２８は電気泳動粒子Ｃ、Ｍ、Ｙのヒステリシス曲線を表しており、しきい値電圧と相対色濃度の関係を表している。なお、同図において、説明を簡単にするために、各ヒステリシスＹ、ｎＹ、Ｍ、ｎＭ、Ｃ、ｎＣの傾きは一定になるように、Ｙ、Ｍ、Ｃが背面から表示面へ移動するまでの移動時間はそれぞれ異なる時間に設定されている。
【００１０】
図２７において、まず、始め（前）の画面を白（Ｗ）とする。Ｖ３＝１０Ｖを印加したときは、シアン色の電気泳動粒子が表示面側に移動するのでシアン（Ｃ）が表示される。Ｖ２＝１５Ｖを印加したときは、シアン色電気泳動粒子、マジェンタ色電気泳動粒子が表示面側に移動するので、青（Ｂ）が表示される。また、Ｖ１＝３０Ｖを印加したときは、シアン色電気泳動粒子、マジェンタ色電気泳動粒子、イエロー色電気泳動粒子が表示面側に移動するので、黒が表示される。
また、前の画面を白（Ｗ）としてマイナス電圧を印加したときは、表示面側に色粒子が移動しないため、白（Ｗ）のままである。
【００１１】
次に、前の画面を黒（Ｋ）として、−Ｖ３＝−１０Ｖを印加したときには、シアン色電気泳動粒子が背面基板側に移動し、表示面側にはマジェンタ色電気泳動粒子（M）とイエロー色電気泳動粒子（Y）が残るので赤（R）が表示される。前の画面を黒（Ｋ）として−Ｖ２＝−１５Ｖを印加した場合には、シアン色とマジェンタ色の電気泳動粒子が背面基板側に移動し、表示面側にはイエロー色電気泳動粒子のみが残るので、イエロー（Ｙ）となる。前の画面を黒（Ｋ）として、−Ｖ１＝−３０Ｖを印加した場合には、シアン、マジェンタ、イエロー色全ての電気泳動粒子が背面基板側に移動するので、白（Ｗ）表示となる。
【００１２】
次に、緑（G）やマジェンタ（Ｍ）の表示は、赤（R）、青（B）、シアン（Ｃ）、イエロー（Ｙ）、白（Ｗ）、黒（Ｋ）の表示とは異なる駆動方式が採用される。たとえば、マジェンタ（Ｍ）を表示するには、図２８に示すように、白表示からＶ２=１５Ｖを印加して表示色をいったん青（B）色にする。この後、−Ｖ３=−１０Ｖをかけてシアン色電気泳動粒子を背面側に移動させれば、マジェンタ（Ｍ）色を表示できる。
【００１３】
以上は、赤（R）、緑（G）、青（B）、シアン（Ｃ）、マジェンタ（Ｍ）、イエロー（Ｙ）、白（Ｗ）、黒（Ｋ）の原色について説明をしたが、中間色や階調表示を含めた、任意の表示色La*b*を表示させる駆動方法は、非常に複雑である。以上の議論は、特許文献２のカラーマイクロカプセル型電気泳動表示装置や特許文献３のＣ、Ｍ、Ｙ、Ｋの４色の電気泳動表示装置についてもあてはまる。
【００１４】
この発明は、上述の事情に鑑みてなされたもので、各単色（Ｒ、Ｇ、Ｂ、Ｃ、Ｍ、Ｙ、Ｗ、Ｋ）だけでなく、中間色まで含めた多階調表現を簡易な構成で実現できるメモリ性を有する画像表示装置を提供することを目的としている。
【課題を解決するための手段】
【００１５】
上記課題を解決するために、この発明の第１の構成は、スイッチング素子と画素電極とがマトリクス状に配列されている第１の基板と、対向電極が形成されている第２の基板と、上記第１の基板と第２の基板との間に介挿され、電気泳動粒子を含有してなる電気泳動層とを備える表示部と、画面更新時、上記各画素電極と上記対向電極との間の上記電気泳動粒子に所定の期間、所定の電圧を印加して、上記表示部の表示状態を現画面から所定の色濃度の次画面に更新させる電圧印加手段とを備えてなるメモリ性を有する画像表示装置に係り、上記電気泳動粒子は、互いに色と泳動を開始するしきい値電圧を異にするｎ種類（ｎは、３以上の自然数）の帯電粒子Ｃｎ、…、Ｃｋ、…、Ｃ１（ｋ＝２〜ｎ−１）からなると共に、各帯電粒子Ｃｎ、…、Ｃｋ、…、Ｃ１は、帯電粒子Ｃｎのしきい値電圧|Ｖｔｈ（ｃｎ）|＜…＜帯電粒子Ｃｋのしきい値電圧|Ｖｔｈ（ｃｋ）|＜…＜帯電粒子Ｃ1のしきい値電圧|Ｖｔｈ（ｃ１）|の関係特性を備え、画面更新時、上記次画面の上記所定の色濃度は、帯電粒子Ｃ１→、…、→Ｃｋ→、…、→Ｃｎの相対色濃度の順に、各帯電粒子の相対色濃度が確定してゆく構成になされていることを特徴としている。
【発明の効果】
【００１６】
この発明の構成によれば、各単色（ＲＧＢＣ、Ｍ、ＹＷＫ）だけでなく、中間色や中間調表示を含めた任意の色（La*b*）の表示を簡易な構成で実現できる。
【図面の簡単な説明】
【００１７】
【図１】この発明の第１の実施形態である電子ペーパ表示装置を構成する表示部の構成を概念的に示す部分断面図である。
【図２】同表示部を構成する電気泳動表示素子のカラー表示原理を説明するための状態説明図である。
【図３】この発明の第１の実施形態による中間色・階調表示を含めた駆動方法を概略説明するための概念図である。
【図４】中間色・階調表示を含めた同駆動方法の説明に供される駆動電圧波形を示す波形図である。
【図５】同駆動方法の説明に供される駆動電圧波形を示す波形図である。
【図６】同駆動方法の説明に供される駆動電圧波形を示す波形図である。
【図７】同駆動方法の説明に供される駆動電圧波形を示す波形図である。
【図８】同駆動方法の説明に供される駆動電圧波形を示す波形図である。
【図９】同駆動方法の説明に供される駆動電圧波形を示す波形図である。
【図１０】同駆動方法の説明に供される駆動電圧波形を示す波形図である。
【図１１】同駆動方法の説明に供される駆動電圧波形を示す波形図である。
【図１２】同駆動方法の説明に供される駆動電圧波形を示す波形図である。
【図１３】同第１の実施形態の動作を説明するための駆動波形図である。
【図１４】同第１の実施形態を説明するための中間遷移状態図である。
【図１５】この発明の第１の実施形態である電子ペーパ表示装置（画像表示装置）の電気的構成を示すブロック図である。
【図１６】同電子ペーパ表示装置を構成する電子ペーパコントローラの詳細を示すブロック図である。
【図１７】同電子ペーパコントローラを構成する電子ペーパ制御回路の詳細を示すブロック図である。
【図１８】同電子ペーパコントローラを構成するＬＵＴ変換回路の詳細を示すブロック図である。
【図１９】電子ペーパコントローラが実行する画面更新動作の流れを示すフローチャートである。
【図２０】この発明の第２の実施形態である電子ペーパ表示装置を構成する電子ペーパコントローラの詳細を示すブロック図である。
【図２１】同電子ペーパコントローラを構成する電子ペーパ制御回路の詳細を示すブロック図である。
【図２２】同電子ペーパコントローラを構成するＬＵＴ変換回路の詳細を示すブロック図である。
【図２３】この発明の第５の実施形態である電子ペーパ表示装置を構成する電子ペーパコントローラの詳細を示すブロック図である。
【図２４】同電子ペーパコントローラを構成する表示電源回路の詳細を示すブロック図である。
【図２５】この発明の第６の実施形態を説明するための駆動波形図である。
【図２６】同第６の実施形態である電子ペーパコントローラを構成する表示電源回路の詳細を示すブロック図である。
【図２７】従来の問題点を説明するための図である。
【図２８】従来の問題点を説明するための図である。
【発明を実施するための形態】
【００１８】
この発明の実施化にあたっては、電気泳動粒子が、互いに色と泳動を開始するしきい値電圧を異にする３種類の帯電粒子Ｃ、Ｍ、Ｙからなると共に、各帯電粒子Ｃ、Ｍ、Ｙが、帯電粒子Ｃのしきい値電圧|Ｖｔｈ（ｃ）|＜帯電粒子Ｍのしきい値電圧|Ｖｔｈ（ｍ）|＜帯電粒子Ｙのしきい値電圧|Ｖｔｈ（ｙ）|の関係特性を備え、
画面更新時の電圧印加期間が、少なくとも、
リセット電圧を印加して、白または黒の基底状態にリセットするリセット期間と、
第１の電圧Ｖ１（または−Ｖ１）、または／および０Ｖ電圧を印加して、基底状態から、帯電粒子Ｃ、Ｍ、Ｙの相対色濃度がＲｙとなる第１の中間遷移状態に遷移させる第１のサブフレーム群期間（第１の電圧印加期間）と、
第２の電圧Ｖ２（または−Ｖ２）、または／および０Ｖ電圧を印加して、第１の中間遷移状態から、帯電粒子Ｙの相対色濃度をＲｙに保持したまま、帯電粒子Ｃ、Ｍの相対色濃度がＲｍとなる第２の中間遷移状態に遷移させる第２のサブフレーム群期間（第２の電圧印加期間）と、
第３の電圧Ｖ３（または−Ｖ３）、または／および０Ｖ電圧を印加して、第２の中間遷移状態から、帯電粒子Ｍ、Ｙの相対色濃度をＲｍ、Ｒyに保持したまま、帯電粒子Ｃの相対色濃度がＲｃとなる更新表示状態に遷移させる第３のサブフレーム群期間（第３の電圧印加期間）とから構成され、かつ、
各帯電粒子のしきい値電圧と、各サブフレーム群期間（電圧印加期間）に印加される電圧が、
|Ｖｔｈ（ｃ）|＜|Ｖ３|＜|Ｖｔｈ（ｍ）|＜|Ｖ２|＜|Ｖｔｈ（ｙ）|＜|Ｖ1|
の関係式を満たす構成とすることで、中間色や中間調表示を含めた任意の色表現を実現した。
【００１９】
また、この発明の実施化にあたっては、画面更新時の電圧印加期間が、少なくとも、
リセット電圧を印加して、白または黒の基底状態にリセットするリセット期間と、
第１の電圧Ｖ１（または−Ｖ１）、または／および０Ｖ電圧を印加して、基底状態から、帯電粒子Ｃ、Ｍ、Ｙの相対色濃度がＲｙとなる第１の中間遷移状態に遷移させる第１のサブフレーム群期間（第１の電圧印加期間）と、
第２の電圧Ｖ２（または−Ｖ２）を印加して、第１の中間遷移状態から、帯電粒子Ｙの相対色濃度をＲｙに保持したまま、帯電粒子Ｃ、Ｍの相対色濃度が０または１の基底状態となる第２の中間遷移状態に遷移させた後、
第２の電圧Ｖ２（または−Ｖ２）、または／および０Ｖ電圧を印加して、第２の中間遷移状態から、帯電粒子Ｙの相対色濃度をＲｙに保持したまま、帯電粒子Ｃ、Ｍの相対色濃度がＲｍとなる第３の中間遷移状態に遷移させる第２のサブフレーム群期間（第２の電圧印加期間）と、
第３の電圧Ｖ３（または−Ｖ３）を印加して、第３の中間遷移状態から、帯電粒子Ｍ、Ｙの相対色濃度をＲｍ、Ｒｙに保持したまま、帯電粒子Ｃの相対色濃度が０または１の基底状態となる第４の中間遷移状態に遷移させた後、
第３の電圧Ｖ３（または−Ｖ３）、または／および０Ｖ電圧を印加して、第４の中間遷移状態から、帯電粒子Ｍ、Ｙの相対色濃度をＲｍ、Ｒｙに保持したまま、帯電粒子Ｃの相対色濃度がＲｃとなる更新表示状態に遷移させる第３のサブフレーム群期間（第３の電圧印加期間）とから構成され、かつ、
各帯電粒子のしきい値電圧と、各サブフレーム群期間（電圧印加期間）に印加される電圧が、
|Ｖｔｈ（ｃ）|＜|Ｖ３|＜|Ｖｔｈ（ｍ）|＜|Ｖ２|＜|Ｖｔｈ（ｙ）|＜|Ｖ1|
の関係式を満たす構成とすることでも、中間色や中間調表示を含めた任意の色表現を実現した。
さらにまた、この発明の実施化にあたっては、画面更新時の電圧印加期間が、少なくとも、リセット電圧を印加して、白または黒の基底状態にリセットするリセット期間と、
第１の電圧Ｖ１（または−Ｖ１）、および第２の電圧Ｖ２（または−Ｖ２）または／および０Ｖ電圧を印加して、前記基底状態から、帯電粒子Ｙの相対色濃度がＲｙ、帯電粒子Ｍの相対色濃度が０または１の基底状態となる第１の中間遷移状態に遷移させる第１のサブフレーム群期間（第１の電圧印加期間）と、
第２の電圧Ｖ２（または−Ｖ２）、および第３の電圧Ｖ３（または−Ｖ３）を印加して、第１の中間遷移状態から、帯電粒子Ｙの相対色濃度がＲｙ、帯電粒子Ｍの相対色濃度がＲｍ、帯電粒子Ｃ濃度が０または１の基底状態となる第２の中間遷移状態に遷移させる第２のサブフレーム群期間（第２の電圧印加期間）と、
第３の電圧Ｖ３（または−Ｖ３）、または／および０Ｖ電圧を印加して、第２の中間遷移状態から、帯電粒子Ｍ、Ｙの相対色濃度をＲｍ、Ｒｙに保持したまま、帯電粒子Ｃの相対色濃度がＲｃになる更新表示状態に遷移させる第３のサブフレーム群期間（第３の電圧印加期間）とから構成され、かつ、
各帯電粒子のしきい値電圧と、各サブフレーム群期間（電圧印加期間）に印加される電圧が、
|Ｖｔｈ（ｃ）|＜|Ｖ３|＜|Ｖｔｈ（ｍ）|＜|Ｖ２|＜|Ｖｔｈ（ｙ）|＜|Ｖ1|
の関係式を満たす構成とすることでも、中間調や中間調表示を含めた任意の色表現を実現した。
【００２０】
ここで、実現したい中間色または／および階調数に応じて、上記リセット期間および各サブフレーム群期間を構成するサブフレーム数を設定するのが好ましい。
【実施形態１】
【００２１】
以下、図面を参照して、この発明の実施形態について詳細に説明する。
図１は、この発明の第１の実施形態である電子ペーパ表示装置（画像表示装置）を構成する表示部の構成を概念的に示す部分断面図である。
この表示部１は、メモリ性を有する、アクティブマトリクス駆動でカラー表示する電気泳動表示素子２、２、…からなり、この電気泳動表示素子２、２、…は、ＴＦＴガラス基板３と対向基板４と、ＴＦＴガラス基板３と対向基板４との間に封入された、電気泳動層５とから構成されている。
上記ＴＦＴガラス基板３には、マトリクス状に多数配列されたスイッチング素子である薄膜トランジスタ（Thin Film Transistor、以下、ＴＦＴともいう）６と、各ＴＦＴ６にそれぞれ接続される画素電極７、図示せぬゲート線、およびデータ線が設けられている。
【００２２】
電気泳動層５は、この実施形態では、分散媒と、分散媒中に分散した、ナノ粒子であるシアン（Ｃ）、マジェンタ（Ｍ）、イエロー（Ｙ）の電気泳動粒子（以下、帯電粒子ともいう）Ｃ、Ｍ、Ｙと、帯電粒子Ｃ、Ｍ、Ｙを保持する、たとえば、粒径１０−１００μｍ程度の白色の保持体Ｈとから構成されている（以下の実施形態において同様である）。
【００２３】
３色の帯電粒子Ｃ、Ｍ、Ｙは、いずれも同極性（この実施形態では、正の極性）に帯電しており、分散媒に分散した状態で互い同じ極性に帯電しているが、それぞれの帯電量が異なるため、保持体Ｈ表面から離脱して、分散媒の中で、移動を開始するしきい値電圧の絶対値が異なっている。ここで、保持体Ｈは、帯電粒子Ｃ、Ｍ、Ｙに較べれば、巨大で、かつ、帯電粒子Ｃ、Ｍ、Ｙとは逆極性に帯電されているのが好ましいが、これに限定されない。
【００２４】
また、上記対向基板４には、基準電位を与える対向電極８が形成され、電気泳動表示素子２、２、…の基準電位を定めるCOM電圧が与えられる。カラー電気泳動表示装置の動作は、画素データに対応した電圧を、画素電極７と対向電極８の間に印加して、３色（Ｃ、Ｍ、Ｙ）の帯電粒子Ｃ、Ｍ、ＹをＴＦＴガラス基板３側から対向基板４側へ、あるいは、対向基板４側からＴＦＴガラス基板３側へ移動させることで行う。なお、この実施形態では、対向電極２側を表示面とする（以下の実施形態において同様である）。
【００２５】
次に、図１および図２を参照して、この実施形態による電気泳動表示素子２、２、…のカラ−表示原理について説明する。この実施形態では、図中、３種類の帯電粒子Ｃ、Ｍ、Ｙのしきい値電圧Ｖｔｈ（ｃ）、Ｖｔｈ（ｍ）、Ｖｔｈ（ｙ）が、|Ｖｔｈ（ｃ）|＜|Ｖｔｈ（ｍ）|＜|Ｖｔｈ（ｙ）|の関係を満たすように設定されている。また、印加電圧Ｖ１，Ｖ２，Ｖ３は、|Ｖｔｈ（ｃ）|＜|Ｖ３|＜|Ｖｔｈ（ｍ）|、|Ｖｔｈ（ｍ）|＜|Ｖ２|＜|Ｖｔｈ（ｙ）、|Ｖｔｈ（ｙ）|＜|Ｖ１|の関係を満たすように設定されている。
【００２６】
図２からわかるように、まず、帯電粒子Ｃの挙動について説明すれば、電圧がしきい値電圧であるＶｔｈ（ｃ）以上となると、帯電粒子Ｃが、ＴＦＴガラス基板３側から対向基板４側へと移動し、シアン色の表示濃度が濃くなり、電圧が電圧Ｖｔｈ（ｍ）に達する前に飽和濃度になる。この状態で、マイナスの電圧を印加し、電圧がしきい値電圧である−Ｖｔｈ（ｃ）以下となると、帯電粒子Ｃが、対向基板４側からＴＦＴガラス基板３側へと移動し、シアン色の表示濃度が薄くなり、電圧が−Ｖｔｈ（ｍ）に達する前にシアン色の表示濃度が最低となる。同様にして、帯電粒子Ｍについては、電圧がしきい値電圧Ｖｔｈ（ｍ）以上（または−Ｖｔｈ（ｍ）以下）で表示濃度の増加（または減少）がおこり、帯電粒子Ｙでは、電圧がしきい値電圧Ｖｔｈ（ｙ）以上（または−Ｖｔｈ（ｙ）以下）で表示濃度の増加（または減少）がおこる。
【００２７】
次に、この実施形態のカラー電気泳動表示装置（素子）のＴＦＴ駆動方法について説明する。電気泳動表示素子２、２、…のＴＦＴ駆動においても、液晶表示装置と同様に、ゲート線にゲート信号を印加して、ライン毎にシフト動作させ、スイッチング素子のＴＦＴを介してデータ線を画素電極に書き込む動作が行われる。そして、全ラインの書き込みが終わる時間を１フレームと定義し、１フレームを、たとえば６０Ｈｚ（１６．６ｍｓ周期）で走査している。一般に液晶表示装置では、この１フレームで画像全体を切り替えている。これに対して、電気泳動表示素子２、２、…は液晶よりも応答速度が遅く、複数のフレーム期間（以下、電気泳動表示素子では、サブフレーム期間と呼び、複数のサブフレーム期間で構成された画面更新の期間を画面更新フレーム期間と呼ぶ）の間、電圧を印加し続けなければ画面を切り替えることができない。このため、電気泳動表示装置では、複数のサブフレーム期間の間、一定の電圧を印加し続けるパルス幅変調駆動（Pulse Width Modulation、以下PWM駆動ともいう）が採用される。そして、予め定められた一定の電圧Ｖ1（Ｖ２またはＶ３）を所定のサブフレーム数印加することで階調表示が行われる。以下の説明では、任意の表示色（たとえば、La*b*系やXYZ系やＲＧＢ系）をあらわすのに、３つの帯電粒子Ｃ、Ｍ、Ｙの色と同様のＣ、Ｍ、Ｙ系の相対色濃度に変換して説明する。
【００２８】
駆動方法
この実施形態では、前の表示状態ＣＵＲ（以下、現画面ともいう）から画像更新後の表示状態Ｎ（以下、次画面ともいう）を表示するために、図３に示すように、基底状態を含む中間遷移状態（ＷＫ、Ｉ−１、Ｉ−２）を経由することで、中間色・階調表示まで含めた系統的で簡便な駆動方法を実現している。そして、複数のサブフレームにわたって駆動することで所定の画像を更新する。複数のサブフレームにわたる駆動期間は、白（Ｗ）または黒（Ｋ）の基底状態に遷移するためのリセット期間と、Ｖ１、０または−Ｖ１［Ｖ］の電圧を印加する第１のサブフレーム群期間（第１の電圧印加期間）と、Ｖ２、０、または−Ｖ２［Ｖ］の電圧を印加する第２のサブフレーム群期間（第２の電圧印加期間）と、Ｖ３、０、または−Ｖ３［Ｖ］の電圧を印加する第３のサブフレーム群期間（第３の電圧印加期間）からなっている。
【００２９】
具体的には、表示すべき画像（更新すべき次画面Ｎ）の画素の表示情報を帯電粒子Ｃ、Ｍ、Ｙの相対色濃度（Ｃ、Ｍ、Ｙ）を（Ｒｃ，Ｒｍ，Ｒｙ）であらわしたときに、図３に示すように、
第１のサブフレーム群期間は、白（Ｗ）または黒（Ｋ）の基底状態から、帯電粒子Ｙの相対色濃度がＲｙとなる第１の中間遷移状態Ｉ−１に遷移する期間であり、
第２のサブフレーム群期間は、第１の中間遷移状態Ｉ−１から、Ｙ濃度がＲｙでＭ濃度がＲｍとなる第２の中間遷移状態Ｉ−２に遷移する期間であり、
第３のサブフレーム群期間は、第２の中間遷移状態Ｉ−２から、Ｙ濃度がＲｙ、Ｍ濃度がＲｍでＣ濃度がＲｃとなる更新表示状態に遷移する期間である。
【００３０】
ここで、相対色濃度Ｒｘ（ｘ＝Ｃ、Ｍ、Ｙ）は、０〜１の値で示され、Ｒｘ＝０は全てのＸ粒子が表示面と反対側の面（背面）に移動したときにあらわれる濃度、Ｒｘ＝０．５は全てのＸ粒子が表示面と背面との中間に移動したときにあらわれる濃度、Ｒｘ＝１は全てのＸ粒子が表示面に移動したときにあらわれる濃度である（以下の実施形態において同様である）。それゆえ、相対色濃度（Ｃ、Ｍ、Ｙ）＝（０，０，０）は白色（Ｗ）の表示状態を表わし、相対色濃度（Ｃ、Ｍ、Ｙ）＝（１，１，１）は黒色（Ｋ）の表示状態を表している。
表１には、３色の帯電粒子Ｃ、Ｍ、Ｙの各階調を３階調とした具体的な駆動電圧データが示されている。また、簡便のために、各帯電粒子Ｃ、Ｍ、Ｙの帯電量の大小関係を|Qｃ|＞|Qm|＞|Qｙ|に設定することで、各帯電粒子Ｃ、Ｍ、Ｙが移動を開始するしきい値電圧の大小関係が、|Ｖｔｈ(ｃ)|＜|Ｖｔｈ(m)|＜|Ｖｔｈ(y)|に設定されている。ここで、Qｃは、帯電粒子Ｃの帯電量、Qｍは、帯電粒子Mの帯電量、Qｙは、帯電粒子Yの帯電量を示している。また、Ｖｔｈ(ｃ)は、帯電粒子Ｃが移動を開始するしきい値電圧、Ｖｔｈ(ｍ)は、帯電粒子Mが移動を開始するしきい値電圧、Ｖｔｈ(ｙ)は、帯電粒子Yが移動を開始するしきい値電圧を示している（以下の実施形態において同様である）。一方、移動速度に関しては、粒子の重量・大きさなどを異ならしめることで、同じ印加電圧に対する移動速度（モビリティ）が、帯電粒子Ｃ、Ｍ、Ｙ共に同じになるように設定されている。
【００３１】
表１に示すように、駆動電圧は、第１のサブフレーム群期間で|Ｖ１|＝３０Ｖに設定され、第２のサブフレーム群期間で|Ｖ２|＝１５Ｖに設定され、第３のサブフレーム群期間で|Ｖ３|＝１０Ｖに設定されている（なお、必要に応じて、駆動電圧を任意の値に設定できることはもちろんである）。
【００３２】
さらに、各帯電粒子Ｃ、Ｍ、Ｙが背面から表示面に移動する時間Δｔは、簡単なモデルでは、印加電圧Ｖと反比例の関係があり、Ｖ×Δｔ＝一定となる。そこで、この実施形態では、帯電粒子Ｃが背面から表示面（または表示面から背面）へ移動する時間は|Ｖ|＝３０Ｖで０．２ｓに、|Ｖ|＝１５Ｖで０．４ｓに、|Ｖ|＝１０Ｖで０．６ｓに設定される。また、帯電粒子Ｍが背面から表示面（または表示面から背面）へ移動する時間は|Ｖ|＝３０Ｖで０．２ｓに、|Ｖ|＝１５Ｖで０．４ｓに設定される。また、帯電粒子Ｙが背面から表示面（または表示面から背面）へ移動する時間は|Ｖ|＝３０Ｖで０．２ｓに設定される。これらの関係を考慮して、この実施形態では、１サブフレーム１００ｍｓとして、１４サブフレーム（リセット電圧印加期間が２サブフレーム、第１のサブフレーム群期間が２サブフレーム、第２のサブフレーム群期間が４サブフレーム、第３のサブフレーム群期間が６サブフレーム）で画面更新フレーム期間が構成されている（なお、次画面が静止画なら、後述の終端０Ｖ印加サブフレームも含めると、画面更新フレーム期間が１５サブフレームとなる）。
【００３３】
【表１】
2012181507.tif 000001
【００３４】
表１を用いて具体的な駆動方法について説明する。
第１列は、目標とする更新表示状態の相対色濃度（Ｃ、Ｍ、Ｙ）を示している。第２列は、リセット期間の印加電圧とリセット期間後の基底状態の相対色濃度を示している。リセット期間は本駆動では２つのサブフレームＲａ、Ｒｂで構成され、とりうる印加電圧は（３０Ｖ），−３０Ｖである。第３列は、第１のサブフレーム群期間の印加電圧と、当該期間の終了時点に到達する第１の中間遷移状態Ｉ−１の相対色濃度を示している。第１のサブフレーム群期間は２つのサブフレーム１ａ，１ｂで構成され、とりうる印加電圧は＋３０Ｖ，０Ｖ，（−３０Ｖ）である。２サブフレームとしたのは、３０Ｖでの帯電粒子の応答時間は０．２ｓであり、１サブフレームが０．１ｓだからである。この明細書において、応答期間とは、帯電粒子が、表示面から背面まで、あるいは、背面から表示面まで移動する時間をいう。第４列は第２のサブフレーム群期間の印加電圧と、当該期間の終了時点に到達する第２の中間遷移状態Ｉ−２の相対色濃度を示している。
【００３５】
第２のサブフレーム群期間は４つのサブフレーム２ａ，２ｂ，２ｃ，２ｄで構成され、とりうる印加電圧は＋１５Ｖ，０Ｖ，−１５Ｖである。４サブフレームとしたのは、１５Ｖでの帯電粒子の応答時間は０．４ｓであり、１サブフレームが０．１ｓだからである。第５列は第３のサブフレーム群期間の印加電圧と、当該期間の終了時点に到達する最終遷移状態である更新表示状態（Ｎ）の相対色濃度を示している。第３のサブフレーム群期間は６つのサブフレーム３ａ，３ｂ，３ｃ，３ｄ，３ｄ，３ｆで構成され、とりうる印加電圧は＋１０Ｖ，０Ｖ，−１０Ｖである。６サブフレームとしたのは、１０Ｖでの粒子の応答時間は０．６ｓであり、１サブフレームが０．１ｓだからである。
リセット期間では、２サブフレーム分−Ｖ１＝−３０Ｖを印加し、帯電粒子Ｃ、Ｍ、Ｙを表示面と反対側に移動集結させて基底状態である白（Ｗ）表示とする。
【００３６】
第１のサブフレーム群期間では、帯電粒子Ｙの相対色濃度に対応して、相対色濃度（Ｙ）が０のときは、印加電圧は０Ｖ、相対色濃度（Ｙ）が０．５のときは、印加電圧３０Ｖを１サブフレーム分のみ印加し、相対色濃度（Ｙ）が１のときは、印加電圧３０Ｖを２サブフレーム分印加する。これにより基底状態Ｗから第１の中間遷移状態Ｉ−１：（Ｃ、Ｍ、Ｙ）＝（Ｒｙ，Ｒｙ，Ｒｙ）（Ｒｙは３階調であり、０，０．５，１のいずれか所望の値）になる。この実施形態では、Ｒｙ＝０の相対色濃度（Ｙ）は、全ての帯電粒子Ｙが表示面側に移動したときに得られ、Ｒｙ＝０．５の相対色濃度（Ｙ）は、全ての帯電粒子Ｙが表示面と背面との中間にとどまるときに得られ、Ｒｙ＝１の相対色濃度（Ｙ）は、全ての帯電粒子Ｙが背面側に移動したときに得られる。
【００３７】
第２のサブフレーム群期間では、目標とする帯電粒子Ｍと帯電粒子Ｙの相対色濃度の差であるＭ−Ｙを計算して、−１５Ｖまたは１５Ｖを所定数、印加する。たとえば相対色濃度（Ｙ）＝０．５で相対色濃度（Ｍ）＝０のときは、相対色濃度差（Ｍ−Ｙ）＝−０．５なので、−１５Ｖを２サブフレーム分印加することで、帯電粒子Ｍ、Ｃを表示面と反対側に移動させて階調を１つ下げる。相対色濃度（Ｙ）＝０．５で相対色濃度（Ｍ）＝０．５のときは、０Ｖを印加する。相対色濃度（Ｙ）＝０．５で相対色濃度（Ｍ）＝１のときは階調を１つ上げるために、１５Ｖを２サブフレーム分印加して、表示面側の帯電粒子Ｍ、Ｃを増やす。以上により、第１の中間遷移状態Ｉ−１：（Ｃ、Ｍ、Ｙ）＝（Ｒｙ，Ｒｙ，Ｒｙ）から第２の中間遷移状態Ｉ−２：（Ｃ、Ｍ、Ｙ）＝（Ｒｍ，Ｒｍ，Ｒｙ）（Ｒｍは３階調であり、０，０．５，１のいずれか所望の値）に遷移する。この実施形態では、Ｒｍ＝０の相対色濃度（Ｍ）は、全ての帯電粒子Ｍが表示面側に移動したときに得られ、Ｒｍ＝０．５の相対色濃度（Ｍ）は、全ての帯電粒子Ｍが表示面と背面との中間にとどまるときに得られ、Ｒｍ＝１の相対色濃度（Ｍ）は、全ての帯電粒子Ｍが背面側に移動したときに得られる。
【００３８】
第３のサブフレーム群期間では、目標とする相対濃度の帯電粒子Ｃと帯電粒子Ｍの相対色濃度の差であるＣ−Ｍを計算して、−１０Ｖまたは１０Ｖを所定数、印加する。たとえば、Ｍ＝０．５で相対色濃度（Ｃ）＝０のときは、色濃度差（Ｃ−Ｍ）＝−０．５なので−１０Ｖを３サブフレーム分印加して帯電粒子Ｃを表示面と反対側に移動することで１階調下げる。相対色濃度（Ｍ）＝０．５で相対色濃度（Ｃ）＝０．５のときには０Ｖを印加する。相対色濃度（Ｍ）＝０．５で相対色濃度（Ｃ）＝１のときは１階調上げるために、１０Ｖを３サブフレーム分印加して、表示面側の帯電粒子Ｃを増やす。
以上により第２の中間遷移状態Ｉ−２：（Ｃ、Ｍ、Ｙ）＝（Ｒｍ，Ｒｍ，Ｒｙ）から目標とする更新表示状態Ｎ：（Ｃ、Ｍ、Ｙ）＝（Ｒｃ，Ｒｍ，Ｒｙ）（Ｒｃは３階調であり、０，０．５，１のいずれか所望の値）に遷移することが可能となる。この実施形態では、Ｒｃ＝０の相対色濃度（Ｃ）は、全ての帯電粒子Ｃが表示面側に移動したときに得られ、Ｒｃ＝０．５の相対色濃度（Ｃ）は、全ての帯電粒子Ｃが表示面と背面との中間にとどまるときに得られ、Ｒｃ＝１の相対色濃度（Ｃ）は、全ての帯電粒子Ｃが背面側に移動したときに得られる。
【００３９】
表１に基づいた具体的な表示波形を図４ないし図１２に示す。
たとえば、表示状態（Ｃ、Ｍ、Ｙ）＝（０．５，１，０．５）を実現するための駆動波形を図９から抜き出すと図１３のようになる。
まず、前の表示状態（現画面）ＣＵＲを消去するために、リセット期間に、２サブフレーム（０．２ｓ）期間、−３０Ｖを印加して、白の基底状態Ｗ：（Ｃ、Ｍ、Ｙ）＝（０，０，０）に遷移させる。次に、第１のサブフレーム群期間に、１サブフレーム期間、＋３０Ｖを印加し、１サブフレーム期間、０Ｖを印加することで、第１の中間遷移状態Ｉ−１：（Ｃ、Ｍ、Ｙ）＝（０．５，０．５，０．５）に遷移させる。次の第２のサブフレーム群期間には、２サブフレーム期間、＋１５Ｖを印加し、２サブフレーム期間、０Ｖを印加することで、第２の中間遷移状態Ｉ−２：（Ｃ、Ｍ、Ｙ）＝（１，１，０．５）に遷移させる。次の第３のサブフレーム群期間には、３サブフレーム期間、−１０Ｖを印加し、３サブフレーム期間、０Ｖを印加すること、更新表示状態Ｎ：（Ｃ、Ｍ、Ｙ）＝（０．５，１．０，０．５）に遷移する。
【００４０】
以上の各中間遷移の帯電粒子Ｃ、Ｍ、Ｙの状態は図１４のようになる。リセット期間において帯電粒子Ｃ、Ｍ、ＹともにＴＦＴガラス基板３側に移動して、白色の保持体Ｈのみが対向基板４側からは見えるので表示状態Ｗに遷移する。次に第１のサブフレーム群期間で帯電粒子Ｃ、Ｍ、Ｙ共に、ＴＦＴガラス基板３側からＴＦＴガラス基板３と対向基板４との中間に移動するので、第１の中間遷移状態Ｉ−１に遷移する。そして、第２のサブフレーム群期間で、Ｙは中間にとどまったまま、帯電粒子Ｃ、Ｍが表示面側に移動して、第２の中間遷移状態Ｉ−２に遷移する。第３のサブフレーム群期間で、帯電粒子Ｍは表示面にとどまったまま、帯電粒子Ｃのみが中間に遷移するので、所定の更新表示状態Ｎに遷移することが可能である。
【００４１】
ところで、たとえば、目標とする表示状態がＮ：（Ｃ、Ｍ、Ｙ）＝（１．０，１．０，０．５）である場合には、第１の中間遷移状態Ｉ−１：（Ｃ、Ｍ、Ｙ）＝（０．５，０．５，０．５）であり、Ｉ−２：（１．０，１．０，０．５）であり、Ｉ−２がすなわち更新表示状態Ｎであるから、第３のサブフレーム群期間を省略でき、かつ中間遷移状態Ｉ−２は必要ではない。また、目標とする表示状態がＮ：（Ｃ、Ｍ、Ｙ）＝（０．５，０．５，０．５）であるときには、第１の中間遷移状態Ｉ−１：（Ｃ、Ｍ、Ｙ）＝（０．５，０．５，０．５）であり、それが更新表示状態Ｎであるから、第２、第３のサブフレーム群期間を省略でき、中間遷移状態Ｉ−１，Ｉ−２が必要でない。
また、Ｎ：（Ｃ、Ｍ、Ｙ）＝（０，０，０）のときは、リセット期間のみで更新表示状態Ｎが実現できることになる。これを一般化すれば、基底状態、または中間遷移状態Ｉ−１または中間遷移状態Ｉ−２が、更新表示状態Ｎと一致するときは、それ以降のサブフレーム期間は省略できる。
【００４２】
以上の説明では、帯電粒子Ｃ、Ｍ、Ｙのモビリティは同じとして説明を行ったが、異なる場合には、第１の中間遷移状態Ｉ−１では、帯電粒子Ｙの相対色濃度は（Ｙ）＝Ｒｙとなるが、帯電粒子Ｃ、Ｍの相対色濃度はＲｙと異なるものとなる。また、第２の中間遷移状態Ｉ−２では、帯電粒子Ｙの相対色濃度は（Ｙ）＝Ｒｙであり、帯電粒子Ｍの相対色濃度は（Ｍ）＝Ｒｍとなるが、Ｃの相対色濃度はＲｍとは異なるものとなる。よって、第１の中間遷移状態Ｉ−１の相対色濃度は（Ｃ、Ｍ、Ｙ）＝（Ｘ，Ｘ，Ｒｙ）（Ｘ：任意、Ｘ≠Ｒｙ）、第２の中間遷移状態Ｉ−２の相対色濃度は（Ｃ、Ｍ、Ｙ）＝（Ｘ，Ｒｍ，Ｒｙ）（Ｘ：任意  Ｘ≠Ｒｍ）と一般化できることになる。
【００４３】
以上では、帯電粒子Ｃ、Ｍ、Ｙは印加電圧Ｖｉに応じて、背面側がら表示面側への移動時間ｔｉが異なるとし、Ｖ１＝３０Ｖでｔ１＝０．２ｓ、Ｖ２＝１５Ｖでｔ２＝０．４ｓ、Ｖ３＝１０Ｖでｔ３＝０．６ｓとしたが、これを一般化すると、各サブフレーム群期間のサブフレーム期間ｔ１，ｔ２，ｔ３は、各サブフレーム群期間の印加電圧をＶ１，Ｖ２，Ｖ３とすると、Ｖｉ・ｔｉ＝一定（ｉ＝１，２，３）と設定される。単位サブフレーム時間が一定の場合には各期間のサブフレーム数をｎｉとすれば、Ｖｉ・ｎｉ＝一定（ｎ＝１，２，３）となる。または、各期間のサブフレーム数を一定にして、各期間の単位サブフレーム時間を、各期間で異ならせても良い。
【００４４】
また、第２、第３のサブフレーム群の一部を第１のサブフレーム群に移動させることも可能であるが、その場合でも、第１のサブフレーム群を１つにまとめて連続印加した場合には、基底状態から中間遷移I-1に遷移することになる。
また、この実施形態では、Ｃ、Ｍ、Ｙを３階調としたが、２階調や３階調以上の多階調でも、この実施形態の駆動方式を実施できることはもちろんである。
【００４５】
以上では、リセット後の基底状態を白（Ｗ）として説明を行ったが、基底状態を黒（Ｋ）としても同様の考えで、駆動波形を作成することができる。さらに、リセット期間の電圧印加期間を長くすれば、基底状態を原色表示、たとえば、シアン（Ｃ），マジェンタ（Ｍ）、イエロー（Ｙ）、赤（Ｒ）、緑（Ｇ）、または青（Ｂ）表示とすることもできる（以下の実施形態において、同様である）。
【００４６】
また、この第１の実施形態では、第１のサブフレーム群で用いられる、Ｖｔｈ（ｙ）＜｜Ｖ１｜の関係を満たす印加電圧｜Ｖ１｜を単一の電圧（｜３０｜Ｖ）に設定するようにしたが、印加電圧｜Ｖ１｜は、単一の電圧値に限らず、複数種類の印加電圧を含む概念である。たとえば、複数の印加電圧Ｖａ１、Ｖｂ１（｜Ｖａ１｜、｜Ｖｂ１｜＞｜Ｖｔｈ（ｙ）｜）を用いて、第１のサブフレーム群を、電圧Ｖａ１，０，−Ｖａ１が印加されるサブフレームと、電圧Ｖｂ１，０、−Ｖｂ１が印加されるサブフレームとから構成するようにしても良い。第２および第３のサブフレーム群についても同様である（以下の実施形態において同様であるが、とりわけ、第１０の実施形態において詳述する）。
【００４７】
以上をまとめると、この形態の好適な電子ペーパ表示装置は、目標とする相対色濃度を（Ｃ、Ｍ、Ｙ）＝（Ｒｃ、Ｒｍ，Ｒｙ）としたときに、画面更新期間は、リセット電圧を印加して、基底状態にリセットするリセット期間と、第１の電圧Ｖ１（または−Ｖ１）、または／および０Ｖを印加するサブフレームを含んで構成され、上記基底状態から、上記帯電粒子Ｙが相対色濃度Ｒｙになる第１の中間遷移状態に遷移させる第１のサブフレーム群期間と、第２の電圧Ｖ２（または、−Ｖ２）、または／および０Ｖを印加するサブフレームを含んで構成され、上記帯電粒子Ｙが相対色濃度Ｒｙを維持したまま、帯電粒子Ｍが相対色濃度Ｒｍになる第２の中間遷移状態に遷移させる第２のサブフレーム群期間と、第３の電圧Ｖ３（または、−Ｖ３）、または／および０Ｖを印加するサブフレームを含んで構成され、上記帯電粒子Ｙ、Ｍが相対色濃度Ｒｙ，Ｒｍを維持したまま、帯電粒子Ｃの相対色濃度がＲｃになる更新表示状態に遷移させる第３のサブフレーム群とから構成される。
【００４８】
ルックアップテーブルの生成
次に、図４ないし図１２の駆動電圧波形を実現するためのルックアップテーブル（Ｌｏｏｋ Ｕｐ Ｔａｂｌｅ、以下、ＬＵＴともいう）の生成・変換方法について説明する。
この実施形態の駆動方式では、画面更新フレーム期間は、１サブフレーム期間１００ｍｓとして、１４サブフレームで構成されているが、最後に余計な電圧が画素電極に印加されたまま、電源がオフとされることを防ぐために、０Ｖを１フレーム分、余分に印加し、全体として、１５サブフレームで構成される。このため、目標とする表示状態を実現するために、ｍ行１列構成のＬＵＴを、画面更新フレーム期間に相当するサブフレーム数分（この実施形態では、ＬＵＴ数＝１５）用意する必要がある。ここで、表示状態を表すＬＵＴのマトリクス行番号をｍとして、ｍ行１列のＬＵＴのマトリクス要素をＷＦｎ（ｍ）で表す。なお、ｎは、ｎ番目のサブフレーム期間の印加電圧を定義するｎ番目のＬＵＴを意味する。また、行番号ｍを表す指標としては、６ビットの２進数で表し、上位２ｂｉｔがＹの階調で、ｍ［５：４］＝［００］、［０１］、［１０］をとり、中位２ｂｉｔがＭの階調でｍ［３：２］＝［００］、［０１］、［１０］をとり、下位２ｂｉｔがＣの階調でｍ［１：０］＝［００］、［０１］、［１０］をとるとする。
【００４９】
各行のマトリクス要素には、各サブフレームにおいて、更新画面の画素の階調データに遷移するときに、電子ペーパ表示装置のデータドライバ（後述）に供給されるべきドライバデータ信号が表されている。ここで、ドライバデータ信号は３ビットの２進数で［０００］，［００１］，［０１０］，［０１１］，［１００］，［１０１］，［１１０］，［１１１］の値をとる。そして、ドライバは、［０００］が入力されると、０Ｖを出力し、同様に［００１］＝１０Ｖ，［０１０］＝１５Ｖ，［０１１］＝３０Ｖ，［１００］＝０Ｖ，［１０１］＝−１０Ｖ，［１１０］＝−１５Ｖ，［１１１］＝−３０Ｖが出力される。上記構成において、表１の駆動波形を実現するための、ＬＵＴ群を表２に示す。
【００５０】
たとえば、表示状態（Ｃ、Ｍ、Ｙ）＝（０．５，１，０．５）のときは、相対色濃度（Ｃ）＝［０１］、（Ｍ）＝［１０］、（Ｙ）＝［０１］なので、ＬＵＴの行番号ｍはｍ＝［０１１００１］となる。このとき、表１より、駆動波形はリセット期間の２サブフレーム分−３０Ｖをかけるので、ＷＦ１［０１１００１］＝［１１１］、ＷＦ２［０１１００１］＝［１１１］となり、第１のサブフレーム群では、１サブフレーム分３０Ｖをかけ、１サブフレーム分０Ｖをかけるので、ＷＦ３［０１１００１］＝［０１１］、ＷＦ４［０１１００１］＝［０００］となる。そして、第２のサブフレーム群では、２サブフレーム分１５Ｖをかけ、この後２サブフレーム分０Ｖをかけるので、ＷＦ５［０１１００１］＝［０１０］、ＷＦ６［０１１００１］＝［０１０］、ＷＦ７［０１１００１］＝［０００］、ＷＦ８［０１１００１］＝［０００］となり、第３のサブフレーム群では、３サブフレーム分―１０Ｖをかけ、３サブフレーム分０Ｖをかけるので、ＷＦ９［０１１００１］＝［１０１］、ＷＦ１０［０１１００１］＝［１０１］、ＷＦ１１［０１１００１］＝［１０１］、ＷＦ１２［０１１００１］＝［０００］、ＷＦ１３［０１１００１］＝［０００］、ＷＦ１４［０１１００１］＝［０００］となる。そして、最後に０Ｖで終端するので、ＷＦ１５［０１１００１］＝［０００］となる。その他の駆動波形とルックアップテーブルの各要素との対応関係も同様である。
【００５１】
【表２】
2012181507.tif 000002
【００５２】
回路構成
次に、この実施形態の回路構成について説明する。
図１５は、この発明の第１の実施形態である電子ペーパ表示装置（画像表示装置）の電気的構成を示すブロック図、図１６は、同電子ペーパ表示装置を構成する電子ペーパコントローラの詳細を示すブロック図、図１７は、同電子ペーパコントローラを構成する電子ペーパ制御回路の詳細を示すブロック図、また、図１８は、同電子ペーパコントローラを構成するＬＵＴ変換回路の詳細を示すブロック図である。
【００５３】
この電子ペーパ表示装置は、上記したような、この実施形態の駆動方法で駆動する画像表示装置であって、図１５に示すように、カラー表示が可能な電子ペーパ部９と、電子ペーパモジュール基板１０とからなっている。上記電子ペーパ部９は、メモリ性を有し、カラー表示する電気泳動表示素子２、２、…からなる表示部（電子ペーパ）１と、該表示部１を駆動するドライバ（電圧印加手段）とからなっている。このドライバは、シフトレジスタ動作をするゲートドライバ１１と多値出力のデータドライバ１２から構成されている。
【００５４】
また、電子ペーパモジュール基板１０には、電子ペーパ部９を駆動する電子ペーパコントローラ１３と、フレームバッファを構成するグラフィックメモリ１４と、装置各部を制御すると共に、電子ペーパコントローラ１３に画像データを与えるＣＰＵ（中央処理装置）１５と、ＲＯＭやＲＡＭなどのメインメモリ１６と、各種画像データや各種プログラムを記憶する記憶装置（ストレージ）１７と、無線ＬＡＮなどからなるデータ送受信部１８が備えられている。
【００５５】
上記電子ペーパコントローラ１３は、表２に示されるＬＵＴ群WFn（ｎは、１〜１５、ただし、図中には、WF15は示されていない。）を用いて、図４ないし図１２に示す更新時の駆動波形を実現するための電圧制御手段としての回路構成を有し、具体的には、図１６に示すように、表示電源回路１９と、電子ペーパ制御回路２０と、データ読み出し回路２１と、ＬＵＴ変換回路２２とから構成されている。
【００５６】
データ読み出し回路２１は、ＣＰＵ１５がグラフィックメモリ１４に書き込んだ更新画像（次画面Ｎ）の画素のカラー階調を表すＲＧＢデータを読み出して、いったん任意の表示色データLa*b*に変換した後、対応するＣ、Ｍ、Ｙ相対色濃度データに変換して、ＬＵＴ変換回路２２に送信する回路である。ここで変換されたＣ、Ｍ、Ｙ相対色濃度データは、８ビットの２進数で表し、上位２ｂｉｔは［００］で、次の２ｂｉｔはＹ（イエロー色）の階調で、［００］、［０１］、［１０］をとり、次の２ｂｉｔがＭ（マジェンタ色）の階調で［００］、［０１］、［１０］をとり、下位２ｂｉｔがＣ（シアン色）の階調で［００］、［０１］、［１０］をとるように設定されている。ただし、Ｃ、Ｍ、Ｙの階調に対応する相対色濃度データは、上記に限るものでなく、１対１の対応関係がとれれば、別異のデータを用いても良い。なお、ＣＰＵ１５は、ＲＧＢデータに代えて、変換されたＣ、Ｍ、Ｙ相対色濃度データをグラフィックメモリ１４に格納するようにしても良い。
【００５７】
表示電源回路１９は、電子ペーパ制御回路２０から送信された電源出力要求信号ＲＥＱＶを受けて、電子ペーパ部９のドライバ１１、１２に複数の基準電圧ＶＤＲを供給し、電子ペーパ部９の基準電位を定める対向電極（共通電極）８に与えるＣＯＭ電圧ＶＣＯＭを供給する回路である。
【００５８】
電子ペーパの制御回路２０は、図１７に示すように、ドライバ制御信号生成回路２３と、サブフレームカウンタ２４とＬＵＴ生成回路２５とから構成されている。上記ドライバ制御信号生成回路２３は、ＣＰＵ１５から画面更新命令ＲＥＦＬを受けると、電子ペーパ部９のゲートドライバ１１とデータドライバ１２とにドライバ制御信号ＣＴＬを出力すると共に、クロック毎（画素毎）に階調データの読み出し要求信号ＲＥＱＰをデータ読み出し回路２１に出力する。さらに、表示電源回路１９に電源出力要求信号ＲＥＱＶを出力する。
【００５９】
上記サブフレームカウンタ２４は、ＣＰＵ１５からの画面更新命令ＲＥＦＬを受けてサブフレームのカウントをし始め、画面更新に必要なフレーム数分、サブフレームのカウントアップを行うと共に、ＬＵＴ生成回路２５に対して、現在が第ｎサブフレーム目の駆動処理であることを示すサブフレーム番号ＮＵＢを出力する。
上記ＬＵＴ生成回路２５は、表２に示すＬＵＴ群を保持し現在のサブフレーム番号に対応したＬＵＴを、ＬＵＴデータとして、ＬＵＴ変換回路２２に出力する。なお、不揮発性メモリが、ＬＵＴ群を予め保持し、ＬＵＴ生成回路２５がサブフレーム番号に対応したＬＵＴを読み出す構成としても良い。
【００６０】
ＬＵＴ変換回路２２は、図１８に示すように、変換回路２６とドライバデータ生成回路２７とからなっている。変換回路２６は、データ読み出し回路２１から送信された８ｂｉｔのＣ、Ｍ、Ｙ相対色濃度データの上位２ｂｉｔを削除して、ＬＵＴマトリクス行番号ｍに変換して、ドライバデータ生成回路２７に出力する。ドライバデータ生成回路２７は、電子ペーパ制御回路２０から出力されたＬＵＴデータを参照して、変換回路２６から出力されたＬＵＴマトリクス行番号ｍに対応したＬＵＴマトリクス要素をドライバデータＤＡＴとして、電子ペーパ部９のドライバ１１、１２に出力する。
このようにして、電子ペーパコントローラ１３は、図４ないし図１２の駆動波形を実現するためのドライバデータＤＡＴを出力する。
【００６１】
回路の動作
次に、図１９を参照して、上記構成の電子ペーパコントローラ１３の回路動作について説明する。図１９は、電子ペーパコントローラが実行する画面更新動作の流れを示すフローチャートである。
電子ペーパコントローラ１３は、待ちうけ状態で、電子ペーパ制御回路２０が画面更新命令REFLを受信すると、画面更新動作を開始する（ステップＰ１）。表示電源回路１９は、ドライバ用基準電圧VDRとCOM電圧VCOMをドライバ１１、１２に送信する（ステップＰ２）。
【００６２】
電子ペーパ制御回路２０がサブフレームカウンタ２４を用いてサブフレーム番号を更新する（ステップＰ３）。電子ペーパ制御回路２０が、更新したサブフレーム番号に対応したＬＵＴデータをＬＵＴ変換回路２２に送信する（ステップＰ４）。次に、電子ペーパ制御回路２０が画素読み出し要求信号REQPをデータ読み出し回路２１に送信する（ステップＰ５）。次に、データ読み出し回路２１が画素読み出し要求信号REQPを受信し（ステップＰ６）、グラフィックメモリ１４から画素階調データＲＧＢを読み出す（ステップＰ７）。次に、データ読み出し回路２１が画素階調データＲＧＢを画素Ｃ、Ｍ、Ｙ濃度データに変換し（ステップＰ８）、ＬＵＴ変換回路２２に出力する（ステップＰ９）。
【００６３】
次に、ＬＵＴ変換回路２２が画素Ｃ、Ｍ、Ｙ濃度データを受信し（ステップＰ１０）、画素Ｃ、Ｍ、Ｙ濃度データをＬＵＴマトリクス行番号データｍに変換する（ステップＰ１１）。ＬＵＴ変換回路２２がＬＵＴデータを参照して、ＬＵＴマトリクス行番号を対応するＬＵＴの要素データであるドライバデータDATに変換する（ステップＰ１２）。そして、ＬＵＴ変換回路２２がドライバデータDATをデータドライバに送信すると同時に、電子ペーパ制御回路２０がゲートドライバ１１およびデータドライバ１２にドライバ制御信号ＣＴＬを送信する（ステップＰ１３）。電子ペーパ制御回路２０がサブフレームの終了かどうかを判断し、サブフレームの終了でないときは、ステップＰ５に戻る。終了のときは次のステップＰ１５に進む（ステップＰ１４）。次に、電子ペーパ制御回路２０が画面更新終了かどうかを判断し、終了でないときは、ステップＰ３に進む。終了のときは、電源をオフするなどの終了処理を行う（ステップＰ１５）。
【００６４】
このように、この実施形態によれば、所定の中間遷移状態を設けることで、中間色や中間調表示を含めた任意の色（La*b*）を表示できる。
【実施形態２】
【００６５】
次に、この発明の第２の実施形態について説明する。
この実施形態では、表１の駆動波形を実現するための、第１の実施形態１とは異なるルックアップテーブル（ＬＵＴ）の生成方法について説明をする。
【００６６】
【表３】
2012181507.tif 000003
【００６７】
表１からわかるとおり、リセット期間（Ｒａ，Ｒｂ）（および、０Ｖ終端サブフレーム）では、目標とする更新表示状態（Ｃ、Ｍ、Ｙ）の如何にかかわらず、一定の電圧が印加されている。また、第１のサブフレーム群期間（１ａ，１ｂ）には、更新表示状態（Ｃ、Ｍ、Ｙ）のうち、帯電粒子Ｙの相対色濃度（Ｙ）に依存して、印加電圧が変化しており、帯電粒子Ｃ、Ｍによる相対色濃度（Ｃ），（Ｍ）には依存していない。さらに第２のサブフレーム群期間（２ａ，２ｂ，２ｃ，２ｄ）では、更新表示状態（Ｃ、Ｍ、Ｙ）のうち、帯電粒子Ｍと帯電粒子Ｙとによる相対色濃度差（Ｍ−Ｙ）に依存して印加電圧が変化しており、帯電粒子Cによる相対色濃度（Ｃ）には依存していない。さらに、第３のサブフレーム群期間（３ａ，３ｂ，３ｃ，３ｄ，３ｅ，３ｆ）では、更新表示状態のうち、帯電粒子Cと帯電粒子Mとによる相対色濃度差（C-M）に依存して印加電圧が変化しており、帯電粒子Yによる相対色濃度（Ｙ）には依存していない。
【００６８】
したがって、表３のように、リセット期間のＬＵＴ群Ｒ＿ＷＦ（ｎ＝１、２、１５）、第１のサブフレーム期間のＬＵＴ群Ｓ１＿ＷＦ、第２のサブフレーム期間のＬＵＴ群Ｓ２＿ＷＦ、第３のサブフレーム期間のＬＵＴ群Ｓ３＿ＷＦをそれぞれ用意することで、ＬＵＴの簡略化が可能となる。
【００６９】
まず、リセット期間（および０Ｖ終端サブフレーム）のＬＵＴ群Ｒ＿ＷＦｎは、目標とする画素の更新表示状態の如何によらず、１番目のサブフレームでは、Ｒ＿ＷＦ１＝［１１１］、２番目のサブフレームではＲ＿ＷＦ２＝［１１１］、１５番目のサブフレームではＲ＿ＷＦ１５＝［０００］とする。これよりリセット期間に対応したＬＵＴであるＲ＿ＷＦｎはマトリクス要素を１つしかもたない。
【００７０】
次に、第１のサブフレーム群期間のＬＵＴ群Ｓ１＿ＷＦｎ（ｎ＝３，４）は、目標とする画素の更新表示状態の帯電粒子Ｙによる相対色濃度（Ｙ）に対応したマトリクス要素をもち、相対色濃度（Ｙ）が０，０，５，１に対応して要素を［００］［０１］［１０］とすると、１番目のサブフレーム（更新の最初から数えたときは３番目のサブフレーム）では、Ｓ１＿ＷＦ３（［００］）＝［０００］、Ｓ１＿ＷＦ３（［０１］）＝［０１１］、Ｓ１＿ＷＦ３（［１０］）＝［０１１］となり、２番目のサブフレームでは、ドライバデータ信号は、Ｓ１＿ＷＦ４（［００］）＝［０００］、Ｓ１＿ＷＦ４（［０１］）＝［０００］、Ｓ１＿ＷＦ４（［１０］）＝［０１１］となる。これよりＳ１＿ＷＦｎのマトリクス要素は３つとなる。
【００７１】
同様に、第２のサブフレーム群期間のＬＵＴ群Ｓ２＿ＷＦｎ（ｎ＝５〜８）は、目標とする画素の更新表示状態の（Ｍ−Ｙ）の相対色濃度に対応したマトリクス要素をもち、Ｍ−Ｙ値が０，０．５，１，−０．５，−１に対応して要素を［０００］、［００１］、［０１０］、［１０１］、［１１０］とすると、各サブフレームでの値は表に示した値となり、Ｓ２＿ＷＦｎのマトリクス要素は５つとなる。
【００７２】
同様に、第３のサブフレーム群期間のＬＵＴ群Ｓ３＿ＷＦｎ（ｎ＝９〜１４）は、目標とする画素の更新表示状態の（Ｃ−Ｍ）の相対色濃度に対応したマトリクス要素をもち、Ｃ−Ｍ値が０，０．５，１，−０．５，−１に対応して要素を［０００］、［００１］、［０１０］、［１０１］、［１１０］とすると、各サブフレームでの値は表に示した値となり、Ｓ３＿ＷＦｎのマトリクス要素は５つとなる。
【００７３】
図２０は、この発明の第２の実施形態である電子ペーパ表示装置を構成する電子ペーパコントローラの詳細を示すブロック図、図２１は、同電子ペーパコントローラを構成する電子ペーパ制御回路の詳細を示すブロック図、また、図２２は、同電子ペーパコントローラを構成するＬＵＴ変換回路の詳細を示すブロック図である。
この実施形態による電子ペーパコントローラ１３Ａは、表３に示されるＬＵＴ群R_WFn、S1_WFn、…を用いて、図４ないし図１２の駆動波形を実現する電圧制御手段としての回路構成を有し、具体的には、図２０に示すように、表示電源回路１９と、電子ペーパ制御回路２０Ａと、データ読み出し回路２１と、ＬＵＴ変換回路２２ａとから構成されている。なお、図２０において、図１６（実施形態）の構成部分と同一の構成各部については、同一の符号を付して、その説明を省略または簡略にする。
ここで、ＬＵＴ群R_WFn、S1_WFn、…は、マトリクス要素が最大５行１列なので、５行１列に統一されている。
【００７４】
電子ペーパの制御回路２０Ａは、図２１に示すように、ドライバ制御信号生成回路２３と、サブフレームカウンタ２４とＬＵＴ生成回路２５と、選択信号生成回路２８とから構成されている。この実施形態による電子ペーパ制御回路２０Ａは、選択信号生成回路２８を備えている点で、上述した第１の実施形態による電子ペーパ制御回路２０の構成と相違している。上記選択信号生成回路２８は、サブフレームカウンタ２４からサブフレーム番号NUBを受信して、現在のサブフレーム番号NUBが、リセット期間、第１のサブフレーム群期間、第２のサブフレーム群期間、および第３のサブフレーム群期間のうち、いずれの期間に属する番号であるかを示す選択信号ＳＥＬを生成し、ＬＵＴ変換回路２２Ａに出力する。
【００７５】
ＬＵＴ変換回路２２Ａは、図２２に示すように、変換回路２９と、変換回路３０と、変換回路３１と、ＬＵＴマトリクス行データ生成回路３２と、ドライバデータ生成回路２７とからなっている。
変換回路２９は、Ｃ、Ｍ、Ｙ相対色濃度データＣ、Ｍ、ＹからＹ（イエロー色）の濃度値を表すデータであるＣ、Ｍ、Ｙの５，６ビット目Ｃ、Ｍ、Ｙ［４：５］を読み出し、Ｙ信号として出力する。同様に、変換回路３０は、Ｃ、Ｍ、Ｙ相対色濃度データのＭ（マジェンタ色）の濃度値を表すデータであるＣ、Ｍ、Ｙの３，４ビット目Ｃ、Ｍ、Ｙ［２：３］とＹ（イエロー色）の濃度値を表す５，６ビット目Ｃ、Ｍ、Ｙ［４：５］を読み出して、表３に従い、（Ｍ−Ｙ）信号を計算し、出力する。同様に、変換回路３１は、Ｃ、Ｍ、Ｙ相対色濃度データのＣ（シアン色）の濃度値を表すデータであるＣ、Ｍ、Ｙの１，２ビット目Ｃ、Ｍ、Ｙ［０：１］とＭ（マジェンタ色）の濃度値を表す３，４ビット目Ｃ、Ｍ、Ｙ［２：３］を読み出して、表３に従い、（Ｃ−Ｍ）信号を計算し、演算結果を出力する。
【００７６】
ＬＵＴマトリクス行データ生成回路３２は、選択信号ＳＥＬに従い、現在の期間が、リセット期間、第１のサブフレーム群期間、第２のサブフレーム群期間、および第３のサブフレーム群期間のうち、いずれの期間であるかを判断して、リセット期間であるときは、ＬＵＴマトリクス行データｍをｍ＝［０００］とし、第１のサブフレーム群期間であるときには、Ｙデータに対応したｍを、第２のサブフレーム群期間であるときは、（Ｍ−Ｙ）データに対応したｍを、第３のサブフレーム群期間であるときは、（Ｃ−Ｍ）データに対応したｍをＬＵＴマトリクス行データとして出力する。
【００７７】
ドライバデータ生成回路２７は、電子ペーパ制御回路２０Ａから出力されたＬＵＴデータを参照して、ＬＵＴマトリクス行データ生成回路３２から出力されたＬＵＴマトリクス行番号ｍに対応したＬＵＴマトリクス要素をドライバデータＤＡＴとして、ドライバ１１、１２に出力する。
このようにして、電子ペーパコントローラ１３Ａは、図４ないし図１２の駆動波形を実現するためのドライバデータＤＡＴを出力する。
【００７８】
回路の動作
この実施形態の回路の動作に関しては、ステップＰ１１であるＬＵＴ変換回路２２ａが画素Ｃ、Ｍ、Ｙ濃度データをＬＵＴマトリクス行番号ｍに変換する部分が、上記のように、現在の期間がリセット期間であるか、第１〜第３のサブフレーム群期間であるかに応じて、変換方法を選択して、ＬＵＴマトリクス行番号ｍに変換する必要がある。この点以外は、図１９（第１の実施形態）と同様であるので、その説明を省略する。
このように、この実施形態によれば、ルックアップテーブルサイズの小さい系統的で簡便な駆動装置を実現できるので、これによりＬＵＴを簡略化でき、また、回路構成の簡素化が図ることができる。
【実施形態３】
【００７９】
次に、この発明の第３の実施形態について説明する。
この実施形態では、第１の実施形態の駆動方法を元に、サブフレーム数を削減するようにしている。表１において、０Ｖを印加するサブフレームは、粒子を移動させないので、削減することができる。表１から０Ｖを削除し、必要なサブフレーム数を記載したものを表４に示す。この場合は、０Ｖ以外の電圧が印加される実効的なサブフレーム数は目標の更新表示状態毎に異なる数となり、リセット期間、第１のサブフレーム群、第２のサブフレーム群、第３のサブフレーム群は、目標とする更新表示状態に応じて、それぞれ異なる期間（サブフレーム数）となる。
【００８０】
【表４】
2012181507.tif 000004
【００８１】
ここで、最大の必要サブフレーム数となるのは、表４に示すように、更新表示状態が（Ｃ、Ｍ、Ｙ）＝（１，０，１）の場合で、必要サブフレーム数は１４となる。すなわち、０Ｖを削除しても、最大となる必要サブフレーム数は削減しない場合と同じであり、更新期間の短縮化の効果は得られない。ところで、表４では、基底状態を白（Ｗ）としたが、表５では、基底状態を黒（Ｋ）とした場合の駆動波形を現している。
【００８２】
【表５】
2012181507.tif 000005
【００８３】
表５からわかる通り、必要な最大サブフレーム数は更新表示状態が色濃度（Ｃ、Ｍ、Ｙ）＝（０，１，０）となる場合で、必要サブフレーム数はやはり１４となる。表４および表５では、基底状態を更新表示状態にかかわらず、白（Ｗ）または黒（Ｋ）の一方に定めたが、更新表示状態に応じて、サブフレーム数が小さくなる方に基底状態を定められるとすると、駆動波形は、表６で表わされる。表６より、最大サブフレーム数は更新表示状態が色濃度（Ｃ、Ｍ、Ｙ）＝（０，１，０）または（１，０，１）のとき、１２となる。
このように、０Ｖ印加期間を削減し、更新表示状態に応じて、基底状態である白（Ｗ）または黒（Ｋ）の一方に定めることで、サブフレーム数を削減することができ、更新期間を短縮化できる。表７に、表６の駆動波形に対応するルックアップテーブル表を示している。
【００８４】
【表６】
2012181507.tif 000006
【００８５】
【表７】
2012181507.tif 000007
【００８６】
表７において、空欄は［０００］である。また、表７では０Ｖ以外の実効的な電圧が印加されるサブフレームを前に詰めて表現しているが、印加電圧（絶対値）の大小の順番を維持する限り、実際にはＷＦ１〜ＷＦ１２の間の任意の位置に配置するようにしても良い。
【００８７】
表６の考え方を一般化すると以下の通りである。
目標とする更新表示状態毎に、更新表示状態のＹの相対濃度値が近い基底状態に、基底状態を定める。すなわち、相対色濃度（Ｙ）が０である場合には、白に基底状態を定め、１である場合には、黒に基底状態を定める。相対色濃度（Ｙ）＝０．５の中間調の場合は、基底状態は、白（Ｗ）または黒（Ｋ）のどちらでもかまわない。ただし、上記は３階調の場合であるが、４階調以上の場合は、Ｙの濃度値が淡い階調は白に基底状態を定め、濃い階調のときは黒に基底状態を定める必要がある。
【００８８】
この第３の実施形態でも、上記した第１の実施形態１と同様に、基底状態、または中間遷移状態Ｉ−１または中間遷移状態Ｉ−２が、更新表示状態Ｎと一致する場合は、それ以降のサブフレーム期間は省略することができる。
また、以上の説明では、第１の実施形態と同様に、帯電粒子Ｃ、Ｍ、Ｙのモビリティは同じとして説明したが、帯電粒子Ｃ、Ｍ、Ｙのモビリティが異なるときは、第１の中間遷移状態Ｉ−１では、帯電粒子Ｙの相対色濃度は（Ｙ）＝Ｒｙとなるが、帯電粒子Ｃ、Ｍの相対色濃度はＲｙと異なるものとなる。また、第２の中間遷移状態Ｉ−２では、帯電粒子Ｙの相対色濃度は（Ｙ）＝Ｒｙであり、帯電粒子Ｍの相対色濃度は（Ｍ）＝Ｒｍとなるが、帯電粒子Ｃの相対色濃度はＲｍとは異なるものとなる。しかしながら、帯電粒子Ｃ、Ｍ、Ｙのモビリティが異なる場合であっても、この第２の実施形態の駆動方式を具現できる。よって、第１の中間遷移状態Ｉ−１の相対色濃度は（Ｃ、Ｍ、Ｙ）＝（Ｘ，Ｘ，Ｒｙ）（Ｘ：任意、Ｘ≠Ｒｙ）、第２の中間遷移状態Ｉ−２の相対色濃度は（Ｃ、Ｍ、Ｙ）＝（Ｘ，Ｒｍ，Ｒｙ）（Ｘ：任意  Ｘ≠Ｒｍ）と一般化できる。
以上では、Ｃ、Ｍ、Ｙが３階調の場合について述べたが、これに限らず、２階調や３階調以上の多階調でも、同様の駆動方式を採用できることはもちろんである。
【００８９】
なお、この第３の実施形態において、回路構成、回路の動作については、第１の実施形態１と同様のため、説明を省略する。
【００９０】
以上により、サブフレーム数の削減が可能となり、その結果、画面更新時間を短縮が可能となり、画面更新の待ち時間が少なくなるので、ストレスのない表示更新が可能となる。
【実施形態４】
【００９１】
次に、４階調表示に係る、この発明の第４の実施形態について説明する。
この第４の実施形態による画像表示装置が、画面更新時、画素電極と対向電極との間の帯電粒子に所定の期間、所定の電圧を印加して、表示部の表示状態を現画面から所定の色濃度の次画面に更新させる電子ペーパ表示装置である点で、上記した第１の実施形態のそれと同様である。また、帯電粒子は、互いに色と泳動を開始するしきい値電圧を異にする３種類の帯電粒子Ｃ、Ｍ、Ｙからなると共に、各帯電粒子Ｃ、Ｍ、Ｙは、帯電粒子Ｃのしきい値電圧|Ｖｔｈ（ｃ）|＜帯電粒子Ｍのしきい値電圧|Ｖｔｈ（ｍ）|＜帯電粒子Ｙのしきい値電圧|Ｖｔｈ（ｙ）|の関係特性を備えている点でも、上記した第１の実施形態のそれと同様である。さらに、各帯電粒子Ｃ、Ｍ、Ｙのしきい値電圧と、各電圧印加期間に印加される電圧が、
|Ｖｔｈ（ｃ）|＜|Ｖ３|＜|Ｖｔｈ（ｍ）|＜|Ｖ２|＜|Ｖｔｈ（ｙ）|＜|Ｖ1|の関係式を満たしている点でも、上記した第１の実施形態のそれと同様である。
【００９２】
しかしながら、この第４の実施形態では、更新すべき次画面を構成する各画素の、帯電粒子Ｃの相対色濃度情報がＲｃ、帯電粒子Ｍの相対色濃度情報がＲｍ、帯電粒子Ｙの相対色濃度情報がＲｙであるとき、電圧が印加される所定の期間は、少なくとも、
［１］リセット電圧を印加して、白（Ｗ）または黒（Ｋ）の基底状態にリセットするリセット期間と、
［２］第１の電圧Ｖ１（または−Ｖ１）、または／および０Ｖ電圧を印加して、基底状態から、帯電粒子Ｃ、Ｍ、Ｙの相対色濃度がＲyとなる第１の中間遷移状態Ｉ−１に遷移させる第１のサブフレーム群期間（電圧印加期間）と、
［３］第２の電圧−Ｖ２（またはＶ２）を印加して、第１の中間遷移状態Ｉ−１から、帯電粒子Ｙの相対色濃度をＲｙに保持したまま、帯電粒子Ｃ、Ｍの相対色濃度が０または１の基底状態となる第２の中間遷移状態Ｉ−２ａに遷移させた後、第２の電圧Ｖ２（または−Ｖ２）、または／および０Ｖ電圧を印加して、第２の中間遷移状態Ｉ−２ａから、帯電粒子Ｙの相対色濃度をＲｙに保持したまま、帯電粒子Ｃ、Ｍの相対色濃度がＲｍとなる第３の中間遷移状態Ｉ−２ｂに遷移させる第２のサブフレーム群期間（電圧印加期間）と、
［４］第３の電圧−Ｖ３（またはＶ３）を印加して、第３の中間遷移状態Ｉ−２ｂから、帯電粒子Ｍ、Ｙの相対色濃度をＲｍ、Ｒｙに保持したまま、帯電粒子Ｃの相対色濃度が０または１の基底状態となる第４の中間遷移状態Ｉ−３ａに遷移させた後、第３の電圧Ｖ３（または−Ｖ３）、または／および０Ｖ電圧を印加して、第４の中間遷移状態Ｉ−３ａから、帯電粒子Ｍ、Ｙの相対色濃度をＲｍ、Ｒｙに保持したまま、帯電粒子Ｃの相対色濃度がＲｃとなる更新表示状態に遷移させる第３のサブフレーム群期間（電圧印加期間）とから構成されている点で、上記した第１の実施形態のそれと大きく相違している。
【００９３】
とりわけ、３階調よりも階調数が大きいときは、中間遷移の過程で、任意の中間調から所定の中間調に遷移する事態が生じるが、このとき第１〜第３の実施形態で述べた駆動波形を調整して、これらの色濃度を一致させることは、難しい面があり、また、粒子の帯電量などのばらつきにより、表示部（電子ペーパ）毎に特性がばらつく虞がある。たとえば、４階調として、更新表示状態Ｎ：（Ｃ、Ｍ、Ｙ）＝（０．３３，０．６６，１）を実現しようとするとき、基底状態Ｗ：（Ｃ、Ｍ、Ｙ）＝（０，０，０）から、第１のサブフレーム群期間に中間遷移状態Ｉ−１：（Ｃ、Ｍ、Ｙ）＝（１，１，１）に遷移して、さらに第２のサブフレーム群期間に中間遷移状態Ｉ−２：（Ｃ、Ｍ、Ｙ）＝（０．６６，０．６６，１）に遷移して、第３のサブフレーム群期間に中間遷移状態Ｉ−２から更新表示状態Ｎ：（Ｃ、Ｍ、Ｙ）＝（０．３３，０．６６，１）に遷移することになるが、第３のサブフレーム群期間には帯電粒子Ｃに関しては、中間調濃度０．６６から中間調濃度０．３３への遷移であり、面内で濃度がばらついて表示品位が劣化する虞がある。
【００９４】
これを回避するには、この実施形態の上記駆動方式に従って、帯電粒子Ｃ、Ｍを基底状態に戻す第２の中間遷移状態Ｉ−２ａと、帯電粒子Ｃを基底状態に戻す第４の中間遷移状態Ｉ−３ａとを設け、第１の中間遷移状態Ｉ−１：（Ｃ、Ｍ、Ｙ）＝（１，１，１）→第２の中間遷移状態Ｉ−２ａ：（Ｃ、Ｍ、Ｙ）＝（０，０，１）→第３の中間遷移状態Ｉ−２ｂ：（Ｃ、Ｍ、Ｙ）＝（０．６６，０．６６，１）→第４の中間遷移状態Ｉ−３ａ：（Ｃ、Ｍ、Ｙ）＝（０，０．６６，１）→更新表示状態Ｎ：（Ｃ、Ｍ、Ｙ）＝（０．３３，０．６６，１）に順次遷移させるようにすれば良い。
【００９５】
このように、この第４の実施形態による駆動方法では、前の表示画状態（現画面）ＣＵＲから更新画面（次画面Ｎ）を表示するために、中間遷移状態（ＷＫ，Ｉ−１，Ｉ−２ａ，Ｉ−２ｂ，Ｉ−３ａ）を経由することで、中間色・階調表示まで含めた系統的で簡便な駆動方法を実現している。
【００９６】
以下、４階調の駆動波形を具体的に述べる。ここで、印加電圧などは、第１の実施形態で述べたと同様の条件で設定されるが、各サブフレーム群期間の単位サブフレーム時間については、各々印加電圧を反比例の関係が成立し、リセット期間と第１のサブフレーム群期間の単位サブフレーム時間は１００ｍｓ、第２のサブフレーム群期間のそれは２００ｍｓ、第３フレーム群期間のそれは３００ｍｓに概略設定されている。
【００９７】
【表８】
2012181507.tif 000008
【００９８】
【表９】
2012181507.tif 000009
【００９９】
表８および表９に、この実施形態における具体的な駆動波形を示す。
表８および表９の駆動波形を参照すれば、目標とする次画面の表示状態Ｎ：（Ｃ、Ｍ、Ｙ）＝（Ｒｃ，Ｒｍ，Ｒｙ）とすると、リセット期間において、基底状態ＷＫ：（Ｃ、Ｍ、Ｙ）＝（０，０，０）に遷移し、次の第１のサブフレーム群期間において、第１の中間遷移状態Ｉ−１：（Ｃ、Ｍ、Ｙ）＝（Ｒｙ，Ｒｙ，Ｒｙ）に移行し、次の第２のサブフレーム群期間において、第２の中間遷移状態Ｉ−２ａ：（Ｃ、Ｍ、Ｙ）＝（０，０，Ｒｙ）に遷移した後、さらに、第３の中間遷移状態Ｉ−２ｂ：（Ｃ、Ｍ、Ｙ）＝（Ｒｍ，Ｒｍ，Ｒｙ）に遷移し、続いて第３のサブフレーム群期間において、第４の中間遷移状態Ｉ−３ａ：（Ｃ、Ｍ、Ｙ）＝（０，Ｒｍ，Ｒｙ）に遷移し、この後、最終（次画面）の表示状態Ｎ：（Ｃ、Ｍ、Ｙ）＝（Ｒｃ，Ｒｍ，Ｒｙ）に遷移することがわかる（ここで、Ｒｃ，Ｒｍ，Ｒｙは０，０．３３，０．６６，１のいずれか所望の値）。なお、表９には、「０．３」、「０．７」の値が点在するが、正確には「０．３３」、「０．６６」である。また、表８および表９の駆動波形を実現するためのルックアップテーブルの構成や、回路構成、回路の動作は、上記した第１および第２の実施形態で述べたと略同様であるので、それらの説明を省略する。
【０１００】
このように、この第４の実施形態では、任意の中間調から所定の中間調に遷移する不安定な動作を廃して、帯電粒子Ｃ、Ｍ、Ｙともに、基底状態から直接最終的な相対色濃度に遷移する構成としたので、中間調の色濃度が安定し、表示部（電子ペーパ）毎の特性のばらつきや、表示面内での濃度のばらつきを抑制できる。それゆえ、この第４の実施形態によれば、一段と品質に優れる多階調表示を実現できる。
【０１０１】
この実施形態では、Rc, Rm, Ryの値を0, 0.33, 0.66, 1として説明したが、この値に限定されず任意に設定することが可能である。
【０１０２】
また、この実施形態では、第２のサブフレーム群期間Ａと第１のサブフレーム群期間とを分けて説明したが、第２のサブフレーム群期間Ａと第１のサブフレーム群期間がが交じり合うように設定しても良い。
【０１０３】
たとえば、必要に応じて、サブフレーム番号１ａ⇒２ａ⇒１ｂ⇒２ｂ⇒１ｃ⇒２ｃのように統合することも可能であり、この場合は、中間遷移状態Ｉ−１、Ｉ−２ａのうち、中間遷移状態Ｉ−１があらわれず、中間遷移状態Ｉ−２ａがあらわれる。また、第３のサブフレーム群期間Ａと第２のサブフレーム群期間Ｂとの関係も同様であり、この場合は中間遷移状態Ｉ−２ｂがあらわれず、中間遷移状態Ｉ−３ａがあらわれる。
【０１０４】
なお、この実施形態では、各期間の単位サブフレーム時間を可変としたが、各期間のサブフレーム時間を一定にして、各期間のサブフレーム数を可変としても良い。また、ＷＫ，Ｉ−２ａ…のＣ、Ｍ、Ｙそれぞれの基底状態は白で説明したが、黒でも良い。また、０Ｖ電圧の印加期間を第３の実施形態で述べたと同様に、削減しても良い。また、この実施形態は、４階調に限らず、３階調にも適用できる。
【実施形態５】
【０１０５】
次に、この発明の第５の実施形態について説明する。
上述の第１ないし第４の実施形態では、電子ペーパ部９のデータドライバ１２に供給する電圧信号を７値の構成としたが、この実施形態では、データドライバ１２に供給する電圧信号を、たとえばＶｄｄ，０，−Ｖｄｄの３値とし、サブフレーム毎にドライバ用基準電圧を可変とする構成としている。
図２３は、この発明の第５の実施形態である電子ペーパ表示装置を構成する電子ペーパコントローラの詳細を示すブロック図、また、図２４は、同電子ペーパコントローラを構成する表示電源回路の詳細を示すブロック図である。
【０１０６】
上記電子ペーパコントローラ１３Ｂは、表３に示されるＬＵＴ群ＷＦｎを用いて、図４ないし図１２の駆動波形を実現する電圧制御手段としての回路構成を有し、具体的には、図２３に示すように、表示電源回路１９Ｂと、電子ペーパ制御回路２０Ｂと、データ読み出し回路２１と、ＬＵＴ変換回路２２（または２２Ａ）とから構成されている。
電子ペーパ制御回路２０Ｂは、第１（および第２）の実施形態で述べたと同様の画素読み出し要求信号ＲＥＱＰ、ＬＵＴデータＬＵＴ、（および選択信号ＳＥＬ）、電源出力要求信号ＲＥＱＶの他、現サブフレームが、リセット期間（Ｒ）に属するものであるか、第１のサブフレーム群期間（Ｓ１）に属するものであるか、第２のサブフレーム群期間（Ｓ２）に属するものであるか、第３のサブフレーム群期間（Ｓ３）に属するものであるかを示す２ビットで表される選択信号ＳＥＬをサブフレーム期間毎に表示電源回路１９Ｂに対して送信する。
【０１０７】
たとえば、ＳＥＬ＝［００］はＲ期間を表し、ＳＥＬ＝［０１］はＳ１期間を表し、ＳＥＬ＝［１０］はＳ２期間を表し、ＳＥＬ＝［１１］はＳ３期間を表す。表示電源回路１９Ｂは、電源出力要求信号ＲＥＱＶを受けると、ドライバ用基準電圧ＶＤＲとＣＯＭ用電圧ＶＣＯＭを出力するが、選択信号ＳＥＬに応じて、ドライバ用基準電圧ＶＤＲを変更する。ドライバ用基準電圧ＶＤＲとしては、データドライバ用プラス基準電圧ＶＤＲ＿Ｄ＋，データドライバ用マイナス基準電圧ＶＤＲ＿Ｄ−、ゲートドライバ用プラス基準電圧ＶＤＲ＿Ｇ＋、ゲートドライバ用マイナス基準電圧ＶＤＲ＿Ｇ−、グランド用基準電圧ＶＤＲ＿ＧＮＤからなっている。そして、たとえば、ＳＥＬ＝［００］，［０１］のときは、ＶＤＲ＿Ｄ＋＝３０Ｖ，ＶＤＲ＿Ｄ−＝−３０Ｖを出力し、ＳＥＬ＝［１０］のときは、ＶＤＲ＿Ｄ＋＝１５Ｖ，ＶＤＲ＿Ｄ−＝−１５Ｖを出力し、ＳＥＬ＝［１１］のときは、ＶＤＲ＿Ｄ＋＝１０Ｖ、ＶＤＲ＿Ｄ−＝−１０Ｖを出力する。
【０１０８】
図２４は、表示電源回路の内部構成を示すブロック図である。表示電源回路１９Ｂは、データドライバ電圧選択回路３３とその増幅回路３４と、ゲートドライバ電圧生成回路３５と、ＣＯＭ電源回路３６とから構成されている。ゲートドライバ電圧生成回路３５は、ＶＤＲ＿Ｇ＋、ＶＤＲ＿Ｇ−を生成する。ＣＯＭ電源回路３６は共通電圧ＶＣＯＭを生成する。データドライバ選択回路３３は、デジタルアナログコンバーター（ＤＡＣ）であり、ＳＥＬ＝［００］で＋３Ｖ／−３Ｖ、ＳＥＬ＝［０１］で＋３Ｖ／−３Ｖ、ＳＥＬ＝［１０］で＋１．５Ｖ／−１．５Ｖ、ＳＥＬ＝［１１］で＋１Ｖ／−１Ｖが出力し、増幅回路３４で１０倍に増幅され、サブフレーム毎にＶＤＲ＿Ｄ＋、ＶＤＲ＿Ｄ−を可変にすることができる構成となっている。
【０１０９】
この実施形態の構成によれば、データドライバ１２が、駆動に必要とされる電圧を同時に出力することができない場合でも、電気泳動表示素子を駆動できるので、ドライバを簡略構成とすることができ、このため、コストダウンを図ることができる。
【０１１０】
なお、第５の実施形態では、第１のサブフレーム群で第１の電圧Ｖ１を、第２のサブフレーム群期間で第２の電圧Ｖ２を、第３のサブフレーム群で第３の電圧Ｖ３を印加するようにしたので、選択信号ＳＥＬを２ビットで説明した。
しかしながら、後述する第７−第１０の実施形態までに拡張できる汎用的な構成とするためには、サブフレーム毎に電圧が可変できる構成にすることが好ましく、たとえば、画面更新期間を２５６個のサブフレームで構成するときは、選択信号ＳＥＬを８ビットにすることで、サブフレーム毎に印加電圧を可変にでき、一般に、ｎビットにすることで、２のｎ乗のサブフレーム数まで対応できることはもちろんである。
【実施形態６】
【０１１１】
次に、この発明の第６の実施形態について説明する。
この実施形態では、データドライバの耐圧が、電気泳動表示素子の駆動電圧より下回るときでも、ＣＯＭ電圧をサブフレーム毎に可変にする構成とすることで、電気泳動表示素子の駆動電圧を実現している。ここで、データドライバは、上記した第５の実施形態と同様に３値とし、データドライバの耐圧はＶｄｄ／−Ｖｄｄ＝１５Ｖ／−１５Ｖとする。リセット期間Ｒに電気泳動表示素子に印加すべき電圧は±３０Ｖ，０Ｖ、第１のサブフレーム群期間Ｓ１に印加すべき電圧はＶ１＝±３０Ｖ，０Ｖ、第２のサブフレーム群期間Ｓ２に印加すべき電圧はＶ２＝±２０Ｖ，０Ｖ、第３のサブフレーム群期間Ｓ３に印加すべき電圧はＶ３＝±１０Ｖ，０Ｖとする（ここで、ＣＯＭ電圧を可変にすることの効果を説明しやすくするために、第２のサブフレーム期間の電圧を｜Ｖ２｜＝２０Ｖに変更している）。
【０１１２】
これを実現するために、この第６の実施形態では、電気泳動表示素子に印加すべき電圧がデータドライバの耐圧｜Ｖｄｄ｜をこえているリセット期間Ｒ，第１のサブフレーム群期間Ｓ１，第２のサブフレーム群期間Ｓ２を、それぞれ２つの群、すなわち、プラスサブフレーム群とマイナスサブフレーム群にわけている。すなわち、表１０に示すように、Ｒ＋，Ｒ−，Ｓ１＋，Ｓ１−、Ｓ２＋，Ｓ２−、Ｓ３の期間にわけている。また、そして、Ｒ＋、Ｓ１＋期間中は、データドライバの基準電圧をＶＤＲ＿Ｄ＋＝＋１５Ｖ、ＶＤＲ＿Ｄ−＝−１５Ｖ、ＣＯＭ電圧をＶＣＯＭ＝−１５Ｖとすれば、データドライバの信号は、表１０に示すように、ＶＤ＝＋１５Ｖ、０Ｖ、−１５Ｖを出力できるので、電気泳動表示素子に印加される電圧Ｖは、Ｖ＝ＶＤ−ＶＣＯＭ＝３０Ｖ，（１５Ｖ），０Ｖとなる。同様に、Ｒ−、Ｓ１−期間中は、ＶＣＯＭ＝＋１５Ｖ、データドライバの信号は、表１０に示すように、ＶＤ＝＋１５Ｖ，０Ｖ、−１５Ｖを出力できるので、電気泳動表示素子に印加される電圧Ｖは、Ｖ＝ＶＤ−ＶＣＯＭ＝−３０Ｖ，（−１５Ｖ），０Ｖとなる。
【０１１３】
同様に、Ｓ２＋期間中は、データドライバの基準電圧をＶＤＲ＿Ｄ＋＝＋１０Ｖ、−ＶＤＲ＿Ｄ−＝−１０Ｖ、ＣＯＭの基準電圧をＶＣＯＭ＝−１０Ｖとすれば、表１０に示すように、ＶＤ＝＋１０Ｖ，０，−１０Ｖとなるので、電気泳動表示素子に印加される電圧Ｖは、Ｖ＝ＶＤ−ＶＣＯＭ＝２０Ｖ，（１０Ｖ），０Ｖとなる。また、Ｓ２−期間中は、ＶＣＯＭ＝＋１０Ｖとすることで、表１０に示すように、電気泳動表示素子に印加される電圧Ｖは、Ｖ＝−２０Ｖ，（−１０Ｖ），０Ｖとなる。Ｓ３期間中はＶＣＯＭ＝０Ｖとすることで、Ｖ＝−１０Ｖ，０Ｖ，＋１０Ｖを印加できる。
【０１１４】
【表１０】
2012181507.tif 000010
【０１１５】
表１０には、一例として、（Ｃ、Ｍ、Ｙ）＝（０．５，１．０，０．５）を実現するための、データドライバの出力電圧ＶＤ、ＣＯＭ電圧ＶＣＯＭ、および電気泳動表示素子に印加すべき電圧Ｖ＝ＶＤ−ＶＣＯＭが、各サブフレーム毎に示されている。また、図２５には、（Ｃ、Ｍ、Ｙ）＝（０．５，１．０，０．５）を実現するための、その駆動波形が示されている。
上記駆動波形を実現するための回路構成は、第５の実施形態と同様であるが、表示電源回路の内部構成のみが異なっている。この実施形態の表示電源回路３７は、図２６に示すように、データドライバ電圧選択回路３８と、その増幅回路３９と、ゲートドライバ電圧生成回路４０と、ＣＯＭ電圧選択回路４１と、その増幅回路４２とから構成されている。
【０１１６】
電子ペーパ制御回路から出力される選択信号ＳＥＬは３ビットであらわされ、サブフレーム期間毎に表示電源回路３７に入力される。たとえば、ＳＥＬ＝［０００］はＲ＋期間を表し、ＳＥＬ＝［１００］はＲ−期間を表し、ＳＥＬ＝［００１］はＳ１＋期間を表し、ＳＥＬ＝［１０１］はＳ１−期間を表し、ＳＥＬ＝［０１０］はＳ２＋期間を表し、ＳＥＬ＝［１１０］はＳ２−期間を表し、ＳＥＬ＝［０１１］がＳ３期間を表している。
【０１１７】
ゲートドライバ電圧生成回路４０は、ＶＤＲ＿Ｇ＋、ＶＤＲ＿Ｇ−を生成する。データドライバ電圧選択回路３８は、デジタルアナログコンバーター（ＤＡＣ）であり、ＳＥＬの下位２ビットＳＥＬ［１：０］を参照して、ＳＥＬ［１：０］＝［００］で３Ｖ／−３Ｖ、ＳＥＬ［１：０］＝［０１］で＋３Ｖ／−３Ｖ、ＳＥＬ［１：０］＝［１０］で＋２Ｖ／−２Ｖ、ＳＥＬ［１：０］＝［１１］で＋２Ｖ／−２Ｖが出力し、増幅回路３９で５倍に増幅され、サブフレーム毎にＶＤＲ＿Ｄ＋、ＶＤＲ＿Ｄ−を可変にできる構成となっている。
【０１１８】
また、ＣＯＭ電圧選択回路４１は、デジタルアナログコンバーター（ＤＡＣ）であり、ＳＥＬ＝［０００］で−３Ｖ、ＳＥＬ＝［１００］で＋３Ｖ、ＳＥＬ＝［００１］で−３Ｖ、ＳＥＬ＝［１０１］で＋３Ｖ、ＳＥＬ＝［０１０］で−２Ｖ、ＳＥＬ＝［１１０］で＋２Ｖ、ＳＥＬ＝［０１１］で０Ｖを出力し、増幅回路４２で５倍に増幅され、サブフレーム毎に共通電圧ＶＣＯＭを可変にできる構成となっている。
また、以上では、Ｒ期間、Ｓ１期間、Ｓ２期間をそれぞれプラスサブフレームとマイナスサブフレームに分ける場合について述べたが、それぞれのＲ、Ｓ１、Ｓ２期間において、プラスサブフレームまたはマイナスサブフレームの一方しか使わないときは、使わない方のサブフレーム群期間を省略できる。
【０１１９】
このように、実施形態によれば、データドライバ１２が、駆動に必要とされる電圧を同時に出力することができず、かつ、データドライバの出力耐圧が電気泳動表示素子の駆動電圧を下回るときでも、電気泳動表示素子を駆動できるので、ドライバを簡略構成にすることができ、このため、コストダウンを図ることができる。
【実施形態７】
【０１２０】
次に、この発明の第７の実施形態について説明する。
上記した第１ないし第６の実施形態については、３色の電気泳動粒子（帯電粒子）Ｃ、Ｍ、Ｙが、ともに同極性（たとえば、いずれも正の極性）からなる電子ペーパ表示装置について述べたが、この第７の実施形態では、任意の２粒子が同極性、残りの１粒子が異極性の組み合わせからなる3色の帯電粒子Ｃ、Ｍ、Ｙを用いるようにした点で、上記した第１ないし第６の実施形態とは相違している。以下、第７の実施形態として、たとえば、帯電粒子Ｃ，Ｙが同極性の正に帯電しており、帯電粒子Ｍが異極性の負に帯電している構成の電子ペーパ表示装置の駆動方法について説明する。
【０１２１】
この実施形態でも、上記した第１ないし第６の実施形態と同様に、前の表示状態ＣＵＲ（以下、現画面ともいう）から画像更新後の表示状態Ｎ（以下、次画面ともいう）を表示するために、基底状態を含む中間遷移状態（ＭG、Ｉ−１、Ｉ−２）を経由することで、中間調・階調表示まで含めた系統的で簡便な駆動方法を実現している。すなわち、複数のサブフレームにわたる駆動期間は、基底状態に遷移するためのリセット期間と、Ｖ１，０，−Ｖ１［Ｖ］の電圧を印加する第１のサブフレーム群期間（第１の電圧印加期間）と、Ｖ２，０，−Ｖ２［Ｖ］の電圧を印加する第２のサブフレーム群期間（第２の電圧印加期間）と、Ｖ３，０，−Ｖ３［Ｖ］の電圧を印加する第３のサブフレーム群期間（第３の電圧印加期間）とからなっている。
しかしながら、この実施形態において、基底状態とは、＋Ｖ１または−Ｖ１電圧を十分に印加することで、異極性の粒子（この実施形態では、帯電粒子Ｍ）を表示面側又は背面側に移動させた状態をいう。それゆえ、帯電粒子Ｍが表示面側に移動したときを基底状態とするとき、基底状態の表示色はマジェンタ色（Ｍ）となり、これに対して、帯電粒子Ｍが背面側に移動したときを基底状態とするとき、基底状態の表示色は緑色（Ｇ）となる。
【０１２２】
具体的には、表示すべき画像（更新すべき次画面Ｎ）の画素情報を帯電粒子Ｃ、Ｍ、Ｙの相対色濃度（Ｃ、Ｍ、Ｙ）を（Ｒｃ，Ｒｍ，Ｒｙ）で表したときに、第１のサブフレーム群期間は、マジェンタ色（Ｍ）または緑色（Ｇ）の基底状態（MG）から、帯電粒子Ｙの相対色濃度がＲｙとなる第１の中間遷移状態Ｉ−１に遷移する期間であり、第２のサブフレーム群期間は、第１の中間遷移状態Ｉ−１から、Ｙ濃度がＲｙでＭ濃度がＲｍとなる第２の中間遷移状態Ｉ−２に遷移する期間であり、第３のサブフレーム群期間は、第２の中間遷移状態Ｉ−２から、Ｙ濃度がＲｙでＭ濃度がＲｍでＣ濃度がＲｃとなる更新表示状態に遷移する期間である。
【０１２３】
表１１には、３色（（シアンC、マジェンタM、イエローY））の各階調を３階調とした具体的な駆動電圧データが示されている。この実施形態では、帯電粒子Ｃ、Ｙは、プラスに帯電し、帯電粒子Ｍは、マイナスに帯電しており、帯電量の大小関係が、｜Ｑｃ｜＞｜Ｑｍ｜＞｜Ｑｙ｜に設定されることで、各帯電粒子Ｃ、M、Ｙが移動を開始するしきい値電圧の大小関係がが、｜Ｖｔｈ（ｃ）｜＜｜Ｖｔｈ（ｍ）｜＜｜Ｖｔｈ（ｙ）｜に設定されている。一方、移動速度に関しては、粒子の重量・大きさなどを異ならしめることで、同じ印加電圧に対する移動速度（モビリティ）が、帯電粒子Ｃ、Ｍ、Ｙ共に同じになるように設定されている。
この実施形態においても、電気泳動表示素子を駆動する駆動電圧は、第１のサブフレーム群期間で｜Ｖ１｜＝３０Ｖまたは０Ｖに設定され、第２のサブフレーム群期間で｜Ｖ２｜＝１５Ｖまたは０Ｖに設定され、第３のサブフレーム群期間で｜Ｖ３｜＝１０Ｖまたは０Ｖに設定されている（なお、必要に応じて、駆動電圧を任意の値に設定できることはもちろんである）。
【０１２４】
【表１１】
2012181507.tif 000011
【０１２５】
表１１を参照して、この実施形態の具体的な駆動方法について説明する。
表１１において、第１列は、目標とする更新表示状態の相対色濃度（Ｃ、Ｍ、Ｙ）を示している。第２列は、リセット期間の印加電圧とリセット期間後の基底状態の相対色濃度を示している。リセット期間は本駆動では２つのサブフレームＲａ，Ｒｂで構成され、とりうる印加電圧は（３０Ｖ），−３０Ｖである。また、第３列は、第１のサブフレーム群期間の印加電圧と、当該期間の終了時点に到達する第１の中間遷移状態Ｉ−１の相対色濃度を示している。第１のサブフレーム群期間は２つのサブフレーム１ａ，１ｂで構成され、とりうる印加電圧は＋３０Ｖ，０Ｖ，（−３０Ｖ）である。
【０１２６】
第４列は第２のサブフレーム群期間の印加電圧と、当該期間の終了時点に到達する第２の中間遷移状態Ｉ−２の相対色濃度を示している。第２のサブフレーム群期間は４つのサブフレーム２ａ，２ｂ，２ｃ，２ｄで構成され、とりうる印加電圧は＋１５Ｖ，０Ｖ，−１５Ｖである。
第５列は第３のサブフレーム群期間の印加電圧と、当該期間の終了時点に到達する最終遷移状態である更新表示状態（Ｎ）の相対色濃度を示している。
第３のサブフレーム群期間は６つのサブフレーム３ａ，３ｂ，３ｃ，３ｄ，３ｅ，３ｆで構成され、とりうる印加電圧は＋１０Ｖ，０Ｖ，−１０Ｖである。
【０１２７】
リセット期間では、２フレーム分−Ｖ１＝−３０Ｖを印加し、帯電粒子Ｍを表示面に移動させて、帯電粒子Ｃ、Ｙを背面に移動させることで、基底状態MGの表示色として、マジェンタ色（Ｍ）を表示する。
第１のサブフレーム群期間では、帯電粒子Ｙの相対色濃度に対応して、相対色濃度（Ｙ）が０のときは、印加電圧は０Ｖ、帯電粒子Ｙの相対色濃度が０．５のときは、印加電圧３０Ｖを１サブフレーム分のみ印加し、帯電粒子Ｙの相対色濃度が１のときは、印加電圧３０Ｖを２サブフレーム分印加する。これにより基底状態ＭGから第１の中間遷移状態Ｉ−１：（Ｃ、Ｍ、Ｙ）＝（ｘ１ｃ、ｘ１ｍ、Ｒｙ）（Ｒｙは、０，０．５，１のいずれか所望の値、ｘ１ｃ＝任意の値、ｘ１ｍ＝任意の値）になる。
【０１２８】
第２のサブフレーム群期間では、目標とする帯電粒子Ｍの相対色濃度がＲｍになるように、−１５Ｖまたは１５Ｖを所定数、印加する。
すなわち、帯電粒子Ｍの相対色濃度について、目標とする相対色濃度Ｒｍと第１の中間遷移状態Ｉ−１の相対色濃度ｘ１ｍとの差（Ｒｍ−ｘ１ｍ）を計算して、−１５Ｖまたは１５Ｖを所定数印加する。たとえば、ｘ１ｍ＝１、Ｒｍ＝０．５のときは、濃度差は、（Ｒｍ−ｘ１ｍ）＝−０．５なので、階調を１つ下げるために、（帯電粒子Ｍはマイナス帯電なので）＋１５Ｖを２サブフレーム分印加して、表示面側の帯電粒子Ｍを減らす。
以上により、第１の中間遷移状態Ｉ−１：（Ｃ、Ｍ、Ｙ）＝（ｘ１ｃ，ｘ１ｍ，Ｒｙ）から第２の遷移状態Ｉ−２：（ｘ２ｃ，Ｒｍ，Ｒｙ）（Ｒｍは、０，０．５，１のいずれか所望の値、ｘ２ｃ＝任意の値）に遷移する。
【０１２９】
第３のサブフレーム群期間では、目標とする帯電粒子Ｃの相対色濃度がＲｃになるように、−１０Ｖまたは１０Ｖを所定数、印加する。
たとえば、ｘ２ｃ＝０、Ｒｃ＝０．５のときは、帯電粒子Ｃについての濃度差は、（Ｒｃ−ｘ２ｃ）＝０．５なので、階調を１つあげるために、（帯電粒子Ｃはプラス帯電なので）＋１０Ｖを３サブフレーム印加して、表示面側の帯電粒子Ｃを増やす。このように駆動することで、第２の中間遷移状態Ｉ−２：（Ｃ、Ｍ、Ｙ）＝（ｘ２ｃ，Ｒｍ，Ｒｙ）から目標とする更新表示状態Ｎ：（Ｃ、Ｍ、Ｙ）＝（Ｒｃ，Ｒｍ，Ｒｙ）（Ｒｃは、０，０．５，１のいずれか所望の値）に遷移することができる。
【０１３０】
なお、第７の実施形態を構成する駆動回路は、上記した第１、第５および第６の実施形態の回路構成（図１５−図１８、図２３、図２４、図２６）のいずれを用いても実現できるので、その説明を省略する。後述する第８、第９の実施形態において同様である。
【実施形態８】
【０１３１】
次に、この発明の第８の実施形態について説明する。
この第８の実施形態では、３色の帯電粒子を廃して、同極性の２色の帯電粒子を用いるようにした点で、上記した第１ないし第７の実施形態と相違している。
この第８の実施形態では、互いに補色の関係にあるシアン色（Ｃ）の帯電粒子と、赤色（Ｒ）の帯電粒子と、帯電粒子を保持する保持体としての白色の無帯電粒子とを用いて、赤（Ｒ）、シアン（Ｃ）、黒（Ｋ），白（Ｗ）、および、これらの中間色や階調が表示される。
以下、２色の帯電粒子Ｃ、Ｒが、ともに正に帯電しているとして、その駆動方法について説明する。
【０１３２】
この実施形態で用いられる駆動波形は、白（Ｗ）または黒（Ｋ）の基底状態ＷＫに遷移するためのリセット期間と、Ｖ１，０，−Ｖ１［Ｖ］の電圧を印加する第１のサブフレーム群期間（第１の電圧印加期間）と、Ｖ２，０，−Ｖ２［Ｖ］の電圧を印加する第２のサブフレーム群期間（第２の電圧印加期間）とからなっている。
具体的には、更新しようとする次画面ＮＥＸＴの画素毎の表示情報である帯電粒子Ｃ，Ｒの相対色濃度（Ｃ，Ｒ）を（Ｒｃ，Ｒｒ）で表したとき、第１のサブフレーム群期間は、白（Ｗ）または黒（Ｋ）の基底状態から帯電粒子Ｒの相対色濃度がＲｒとなる中間遷移状態Ｉ−１に遷移する期間であり、第２のサブフレーム群期間は、中間遷移状態Ｉ−１から最終遷移状態である更新表示状態（更新画面）に遷移する期間である。
ここで、相対色濃度Ｒｘ（ｘ＝ｃ、ｒ）は、相対色濃度で０〜１をとり、Ｒｘ＝０は表示面にＸ粒子（X＝Ｃ、Ｒ）が存在しない状態を示し、Ｒｘ＝１は全てのＸ粒子が表示面に移動している状態を示している。
【０１３３】
表１２には、２色Ｃ、Ｒの各階調を３階調（０，０．５，１）としたときの、具体的な駆動電圧データが示されている。また、簡単のため、各帯電粒子Ｃ、Ｒは、帯電量Ｑが｜Ｑｃ｜＞｜Ｑｒ｜に設定されることで、帯電粒子が移動を開始するしきい値電圧は｜Ｖｔｈ（ｃ）｜＜｜Ｖｔｈ（ｒ）｜に設定されている。
この実施形態において、電気泳動素子を駆動する駆動電圧は、第１のサブフレーム群期間で、｜Ｖ１｜＝３０Ｖまたは０Ｖに設定されていて、第２のサブフレーム群期間で｜Ｖ２｜＝１５Ｖまたは０Ｖに設定されている。
【０１３４】
【表１２】
2012181507.tif 000012
【０１３５】
また、各帯電粒子Ｃ、Ｒが背面から表示面に移動する時間Δｔは、簡単なモデルでは、第１の実施形態で説明したと同様に、（しきい値電圧を超える）印加電圧Ｖと反比例の関係があり、Ｖ×Δｔ＝一定となる。この実施形態では、１サブフレーム期間が１００ｍｓｅｃに設定され、画面更新期間は、８サブフレーム（リセット電圧印加期間が２サブフレーム、第１のサブフレーム群期間が２サブフレーム、第２のサブフレーム群期間が４サブフレーム）で構成されている。
【０１３６】
次に、表１２を参照にして、この実施形態による具体的な駆動方法について説明する。表１２において、第１列は、目標とする更新表示状態の相対色濃度（Ｃ，Ｒ）を示している。第２列は、リセット期間の印加電圧とリセット期間後の基底状態の相対色濃度を示している。リセット期間は、この第８の実施形態では、２つのサブフレームＲａ，Ｒｂで構成され、とりうる印加電圧は（３０Ｖ），−３０Ｖである。第３列は、第１のサブフレーム群期間の印加電圧と、当該期間の終了時点に到達する中間遷移状態Ｉ−１の相対色濃度を示している。第１のサブフレーム群期間は２つのサブフレーム１ａ、１ｂで構成され、とりうる印加電圧は＋３０Ｖ，０Ｖ，（−３０Ｖ）である。ここで、２サブフレームとしたのは、３０Ｖでの粒子の応答時間は０．２ｓｅｃであり、１サブフレームが０．１ｓｅｃだからである。第４列は、第２のサブフレーム群期間の印加電圧と、当該期間の終了時点に到達する最終段階の更新表示状態Ｎの相対色濃度を示している。第２のサブフレーム群期間は４つのサブフレーム２ａ、２ｂ、２ｃ、２ｄで構成され、とりうる印加電圧は＋１５Ｖ，０Ｖ，−１５Ｖである。４サブフレームとしたのは、１５Ｖでの粒子の応答時間は０．４ｓｅｃであり、１サブフレームが０．１ｓｅｃだからである。
【０１３７】
まず、リセット期間では、２サブフレームにわたり−Ｖ１＝−３０Ｖを印加して、帯電粒子Ｃ、Ｒを表示面とは反対側の背面側に移動終結させて基底状態の表示色である白（Ｗ）表示にする。
次の、第１のサブフレーム群期間では、帯電粒子Ｒの相対色濃度に対応して、相対色濃度（Ｒ）が０のときは、印加電圧０Ｖを２サブフレーム分印加し、相対色濃度（Ｒ）が０．５のときは、印加電圧３０Ｖを１サブフレーム分、印加電圧０Ｖを１サブフレーム分印加する。相対色濃度（Ｒ）が１のときは、印加電圧３０Ｖを２サブフレーム分印加する。これにより基底状態Ｗから中間遷移状態Ｉ−１：（Ｃ，Ｒ）＝（Ｒｒ，Ｒｒ）（Ｒｒは３階調であり、０，０．５，１のいずれか所望の値）になる。
次の、第２のサブフレーム群期間では、同様に中間遷移状態Ｉ−１：（Ｃ，Ｒ）＝（Ｒｒ，Ｒｒ）から−１５Ｖまたは１５Ｖを所定数、印加して更新表示状態Ｎ：（Ｃ，Ｒ）＝（Ｒｃ、Ｒｒ）に遷移させる。
たとえば、帯電粒子Cの相対色濃度について、中間遷移状態Ｉ−１の相対色濃度Ｒｒと更新表示状態の相対色濃度Ｒｃとの差が（Ｒｃ−Ｒｒ）＝０．５のときは、１５Ｖを２サブフレーム分印加する。濃度差が、（Ｒｃ−Ｒｒ）＝１，−０．５，０、−１のときも同様に、１５Ｖ／−１５Ｖを所定数印加する。このような駆動動作によって、中間遷移状態Ｉ−１：（Ｃ，Ｒ）＝（Ｒｒ，Ｒｒ）から更新表示状態Ｎ：（Ｃ，Ｒ）＝（Ｒｃ，Ｒｒ）（Ｒｃは３階調であり，０，０．５，１のいずれか所望の値）に遷移する。
【０１３８】
このように、この第８の実施形態によれば、互いに補色の関係にある２種類の帯電粒子を用いて、中間色や多階調表示を実現することができる。
【実施形態９】
【０１３９】
次に、この発明の第９の実施形態について説明する。
この第９の実施形態でも、第８の実施形態で述べたと同様に、互いに補色の関係にあるシアン色（Ｃ）の帯電粒子と、赤色（Ｒ）の帯電粒子と、帯電粒子を保持する保持体としての白色の無帯電粒子とを用いて、赤（Ｒ）、シアン（Ｃ）、黒（Ｋ），白（Ｗ）、および、これらの中間色や階調が表示される。
しかしながら、この第９の実施形態では、互いに異極性の２色の帯電粒子Ｃ、Ｒを用いるようにした点で、互いに同極性の２色の帯電粒子を用いる第８の実施形態と相違している。
この実施形態では、帯電粒子Ｃが負に、帯電粒子Ｒが正に帯電しており、帯電粒子Ｃ、Ｒは、帯電量Ｑが｜Ｑｃ｜＞｜Ｑｒ｜に設定されることで、帯電粒子C、Rが移動を開始するしきい値電圧の大小関係が、｜Ｖｔｈ（ｃ）｜＜｜Ｖｔｈ（ｒ）｜に設定されている。
表１３には、この実施形態の駆動方法に適用される、２色Ｃ、Ｒの各階調を３階調としたときの、具体的な駆動電圧データが示されている。
以下、この実施形態の駆動方法について説明する。
【０１４０】
【表１３】
2012181507.tif 000013
【０１４１】
まず、リセット期間では、２サブフレームにわたり、−Ｖ１＝−３０Ｖを印加し、帯電粒子Ｃを表示面側に、帯電粒子Ｒを表示面とは反対側の背面側に移動集結させて基底状態の表示色であるシアン（Ｃ）表示にする。
次の、第１のサブフレーム群期間では、帯電粒子Ｒの相対色濃度に対応して、相対色濃度（Ｒ）が０のときは、印加電圧０Ｖを２サブフレーム分印加し、相対色濃度（Ｒ）が０．５のときは、印加電圧３０Ｖを１サブフレーム分、印加電圧０Ｖを１サブフレーム分印加する。相対色濃度（Ｒ）が１のときは、印加電圧３０Ｖを２サブフレーム分印加する。これにより、基底状態Ｗから中間遷移状態Ｉ−１：（Ｃ，Ｒ）＝（ｘ１ｃ，Ｒｒ）（Ｒｒは３階調であり、０，０．５，１のいずれか所望の値、ｘ１ｃ：任意）になる。
次の、第２のサブフレーム群期間では、同様に中間遷移状態Ｉ−１：（Ｃ，Ｒ）＝（ｘ１ｃ，Ｒｒ）から−１５Ｖまたは１５Ｖを所定数、印加して更新表示状態Ｎ：（Ｃ，Ｒ）＝（Ｒｃ、Ｒｒ）に遷移させる。
たとえば、帯電粒子Ｃの相対色濃度について、中間遷移状態Ｉ−１の相対色濃度ｘ１ｃと更新表示状態の相対色濃度Ｒｃとの差が（Ｒｃ−ｘ１ｃ）＝０．５のときは、−１５Ｖを２サブフレーム分印加する。濃度差が、（Ｒｃ−Ｒｒ）＝１，−０．５，０、−１のときも同様に、−１５Ｖ／１５Ｖを所定数印加する。このような駆動動作によって、中間遷移状態Ｉ−１：（Ｃ，Ｒ）＝（ｘ１ｃ，Ｒｒ）から更新表示状態Ｎ：（Ｃ，Ｒ）＝（Ｒｃ，Ｒｒ）（Ｒｃは３階調であり、０，０．５，１のいずれか所望の値）に遷移する。
【０１４２】
このように、この第９の実施形態によっても、互いに補色の関係にある２種類の帯電粒子を用いて、中間色や多階調表示を実現することができる。
【０１４３】
第８、第９の実施形態による電子ペーパ表示装置（画像表示装置）の駆動原理を一般化すると、次のように表わすことができる。
すなわち、この発明の構成のうち、２種類の帯電粒子を用いる構成では、
帯電粒子が、互いに色と泳動を開始するしきい値電圧を異にする２種類の帯電粒子Ｃ、Ｒからなると共に、各帯電粒子Ｃ、Ｒは、帯電粒子Ｃのしきい値電圧｜Ｖｔｈ（ｃ）｜＜帯電粒子Ｒのしきい値電圧｜Ｖｔｈ（ｒ）｜の関係特性を備え、
更新すべき次画面を構成する各画素の、帯電粒子Ｃの相対色濃度がＲｃ、帯電粒子Ｒの相対色濃度がＲｒであるとき、電圧が印加される上記所定の期間は、少なくとも、
リセット電圧を印加して基底状態にリセットするリセット期間と、
第１の電圧Ｖ１、−Ｖ１、または／および０Ｖ電圧を印加するサブフレームを少なくとも含んで構成され、帯電粒子Ｒの色濃度がＲｒとなる中間遷移状態に遷移させる第１のサブフレーム群と、第２の電圧Ｖ２，−Ｖ２、または／および０Ｖ電圧を印加するサブフレームを少なくとも含んで構成され、帯電粒子Ｒの色濃度をＲｒに保持したまま、帯電粒子Ｃの相対色濃度がＲｃになる更新表示状態に遷移させる第２のサブフレーム群から構成され、かつ、電圧Ｖ１，Ｖ２は、
｜Ｖｔｈ（ｃ）｜＜｜Ｖ２｜＜｜Ｖｔｈ（ｒ）｜＜｜Ｖ１｜の関係式を満たしている、ことを特徴としている。
【実施形態１０】
【０１４４】
次に、この発明の第１０の実施形態について説明する。
この第１０の実施形態では、電気泳動駆動素子を駆動する駆動波形が、上記した第１ないし第９の実施形態のそれらと相違している。
この実施形態では、“帯電粒子Ｃｋの相対色濃度を確定していく”との概念を、確定した後の相対色濃度の変動が、各色の階調間の色濃度差にくらべて、小さい場合も許容するところまで拡大して、構成されている。この実施形態では、第ｋのサブフレーム群期間が、（Ｖｋ，０，−Ｖｋ）の電圧を印加する低電圧サブフレームと、｜Ｖｋ｜よりも高い電圧（Ｖｘ、０、−Ｖｘ）（Ｖｘ＞Ｖｋ）を印加する高電圧サブフレームとから構成されている。
【０１４５】
以下、この実施形態の駆動方法について説明する。
上記した第１の実施形態と同様の駆動波形では、１サブフレームを０．１ｓに代えて、０．０１ｓに設定したときは、｜３０Ｖ｜または０Ｖを印加する第１のサブフレーム群期間が２０個のサブフレーム（１サブフレームが０．１ｓのときの、２個のサブフレームに相当）、｜１５Ｖ｜または０Ｖを印加する第２のサブフレーム群期間が４０個のサブフレーム（１サブフレームが０．１ｓのときの、４個のサブフレームに相当）、｜１０Ｖ｜または０Ｖを印加する第３のサブフレーム群期間が６０個のサブフレーム（１サブフレームが０．１ｓのときの、６個のサブフレームに相当）から構成されることになる。そして、目標の更新表示状態の相対色濃度として、たとえば、（Ｃ，Ｍ，Ｙ）＝（０．５，１，０．５）を実現したいときは、第３のサブフレーム群に−１０Ｖを３０サブフレーム分印加することとなる。
【０１４６】
これに対して、この第１０実施形態では、１サブフレームを０．０１ｓに設定したとき、第３のサブフレーム群に、−１５Ｖ（高電圧）を2サブフレーム分印加し、（−１０Ｖを3サブフレーム分に相当する）、−１０Ｖ（低電圧）を２７サブフレーム分印加することで、帯電粒子Ｃの色濃度０．５を実現する。
この結果、帯電粒子Ｍの色濃度が１より小さくなる（帯電粒子Ｍの色濃度は、単純な計算では１−２／４０＝０．９５に下がる）が、階調が０，０．５，１の３階調程度なら、第３のサブフレーム群期間の一部に、（Ｖ２，０，−Ｖ２）（Ｖ２＝１５Ｖ）を印加する高電圧サブフレームを２個加えても、帯電粒子Ｍの相対色濃度に大きな影響を与えずに、つまり、許容誤差範囲内で、帯電粒子Ｃの色濃度を確定することができる。これにより、全体として、サブフレーム数を削減することができる（上記の例では、１サブフレーム分少なくなる）ので、画面更新期間を短縮することができる。
【０１４７】
以上、この発明の実施形態を図面により詳述してきたが、具体的な構成はこの実施形態に限られるものではなく、この発明の要旨を逸脱しない範囲の設計の変更などがあってもこの発明に含まれる。たとえば、上述の各実施形態では、シアンＣ、マジェンタＭ、イエローＹの３色の帯電粒子と、白色の保持体とからなる電気泳動表示素子を用いるようにしたが、シアンＣ、マジェンタＭ、イエローＹの帯電粒子に代えて、赤Ｒ、緑Ｇ、青Ｂの帯電粒子を用いるようにしても良い。また、帯電色粒子を保持する保持体を廃して、帯電色粒子を封入したマイクロカプセルを用いても良い。白色粒子は、上記したような巨大な保持体に限らず、溶媒に浮遊する無帯電粒子でも良いし、電界感度の低い微弱帯電粒子でも良い。
要するに、互いに異なる色としきい値電圧を持つ３種類以上の色粒子（たとえば、Ｃ、Ｍ、Ｙ、ＫやＲ、Ｇ、Ｂ、Ｗの４色粒子や、Ｃ、Ｍ、Ｙ、Ｒ、Ｇ、Ｂの６色粒子など）からなる電気泳動表示素子に対しても、この発明を適用すれば、各単色表示だけではなく、中間色や中間調表示を含めた任意の色（Ｌａ＊ｂ＊）の表示を簡易な構成で実現できる。
【０１４８】
３色以上の電気泳動粒子にまで包含される、この発明の一般化された構成は以下の通りである。
すなわち、この発明の一般化された第１の構成は、スイッチング素子と画素電極とがマトリクス状に配列されている第１の基板と、対向電極が形成されている第２の基板と、上記第１の基板と第２の基板との間に介挿され、電気泳動粒子を含有してなる電気泳動層とを備える表示部と、
画面更新時、上記各画素電極と上記対向電極との間の上記電気泳動粒子に所定の期間、所定の電圧を印加して、上記表示部の表示状態を現画面から所定の色濃度の次画面に更新させる電圧印加手段とを備えてなるメモリ性を有する画像表示装置に係り、
上記電気泳動粒子は、互いに色と泳動を開始するしきい値電圧を異にするｎ種類（ｎは、３以上の自然数）の帯電粒子Ｃｎ、…、Ｃｋ、…、Ｃ１（ｋ＝２〜ｎ−１）からなると共に、各帯電粒子Ｃｎ、…、Ｃｋ、…、Ｃ１は、帯電粒子Ｃｎのしきい値電圧|Ｖｔｈ（ｃｎ）|＜…＜帯電粒子Ｃｋのしきい値電圧|Ｖｔｈ（ｃｋ）|＜…＜帯電粒子Ｃ1のしきい値電圧|Ｖｔｈ（ｃ１）|の関係特性を備え、
画面更新時、上記次画面の上記所定の色濃度は、帯電粒子Ｃ１→、…、→Ｃｋ→、…、→Ｃｎの相対色濃度の順に、各帯電粒子の相対色濃度が確定してゆく構成になされていることを特徴としている。
【０１４９】
上記第１の構成において、“帯電粒子Ｃ１→…→Ｃｎの相対色濃度順に、各帯電粒子の相対色濃度を確定していく”とは、確定した後の相対色濃度の変動が、各色の階調間の色濃度差にくらべて、十分小さい場合を含む概念である。
【０１５０】
この発明の一般化された第２の構成は、スイッチング素子と画素電極とがマトリクス状に配列されている第１の基板と、対向電極が形成されている第２の基板と、上記第１の基板と第２の基板との間に介挿され、電気泳動粒子を含有してなる電気泳動層とを備える表示部と、
画面更新時、電圧制御手段から入力されるドライバデータに従って、上記画素電極と上記対向電極との間の上記電気泳動粒子に所定の期間、所定の電圧を印加して、上記表示部の表示状態を現画面から所定の色濃度の次画面に更新させる電圧印加手段とを備えてなるメモリ性を有する画像表示装置に係り、
上記電気泳動粒子は、互いに色と泳動を開始するしきい値電圧を異にするｎ種類（ｎは３以上の自然数）の帯電粒子Ｃｎ、…、Ｃｋ、…、Ｃ１（ｋ＝２〜ｎ−１）からなると共に、各帯電粒子Ｃｎ、…、Ｃｋ、…、Ｃ１は、帯電粒子Ｃｎのしきい値電圧｜Ｖｔｈ（ｃｎ）｜＜…＜｜Ｖｔｈ（ｃｋ）｜＜…＜｜Ｖｔｈ（ｃ１）｜の関係特性を備え、
更新すべき画面の次画面を構成する各画素の、帯電粒子Ｃｎの相対色濃度情報がＲｎ、…、帯電粒子Ｃｋの相対色濃度情報がＲｋ、…、帯電粒子Ｃ１の相対色濃度情報がＲ１であるとき、
電圧が印加される上記所定の期間は、少なくとも
基底状態にリセットするリセット期間と、
第１の電圧Ｖ１（または−Ｖ１）、または／および０Ｖを印加するサブフレームを少なくとも含んで構成され、上記基底状態から、帯電粒子Ｃ１が相対色濃度Ｒ１となる第１の中間遷移状態に遷移させる第１のサブフレーム群期間と、
第ｋの電圧Ｖｋ（または−Ｖｋ）、または／および０Ｖ電圧を印加するサブフレームを少なくとも含んで構成され、上記第ｋ−１の中間遷移状態から、帯電粒子Ｃ１の相対色濃度をＲ１に、…、帯電粒子Ｃｋ−１の相対色濃度をＲｋ−１に保持したまま、帯電粒子Ｃｋの相対色濃度がＲｋとなる第ｋの中間遷移状態に遷移させる第２〜第ｎ−１のサブフレーム群期間と、
第ｎの電圧Ｖｎ（または−Ｖｎ）、または／および０Ｖ電圧を印加するサブフレームを少なくとも含んで構成され、上記第ｎ−１の中間遷移状態から、帯電粒子Ｃ１の相対色濃度をＲ１に、…、帯電粒子Ｃｎ−１の相対色濃度をＲｎ−１に保持したまま、帯電粒子Ｃｎの相対色濃度がＲｎになる更新表示（最終遷移）状態に遷移させる第ｎのサブフレーム群期間とから構成され、かつ、
上記各帯電粒子の上記しきい値電圧と、上記各サブフレーム群期間に印加される上記電圧は、
｜Ｖｔｈ（ｃｎ）｜＜｜Ｖｎ｜＜｜Ｖｔｈ（ｃ（ｎ−１））｜、
｜Ｖｔｈ（ｃｋ）｜＜｜Ｖｋ｜＜｜Ｖｔｈ（ｃ（ｋ−１））｜、
｜Ｖｔｈ（ｃ１）｜＜｜Ｖ１｜
の関係式を満たしていることを特徴としている。
【０１５１】
上記第２の構成において、「相対色濃度を保持したまま」とは、各サブフレーム群の前の遷移状態と、各サブフレーム群終了後の相対色濃度の変動が、各色の階調間の色濃度差にくらべて、十分小さい場合を含む概念である。後述するこの発明の第３および第４の構成において、同様である。
【０１５２】
また、この発明の一般化された第３の構成は、スイッチング素子と画素電極とがマトリクス状に配列されている第１の基板と、対向電極が形成されている第２の基板と、上記第１の基板と第２の基板との間に介挿され、電気泳動粒子を含有してなる電気泳動層とを備える表示部と、
画面更新時、電圧制御手段から入力されるドライバデータに従って、上記画素電極と上記対向電極との間の上記電気泳動粒子に所定の期間、所定の電圧を印加して、上記表示部の表示状態を現画面から所定の色濃度の次画面に更新させる電圧印加手段とを備えてなるメモリ性を有する画像表示装置に係り、
上記電気泳動粒子は、互いに色と泳動を開始するしきい値電圧を異にするｎ種類（ｎは、３以上の自然数）の帯電粒子Ｃｎ、…、Ｃｋ、…、Ｃ１（ｋ＝２〜ｎ−１）からなると共に、各帯電粒子Ｃｎ、…、Ｃｋ、…、Ｃ１は、帯電粒子Ｃｎのしきい値電圧|Ｖｔｈ（ｃｎ）|＜…＜帯電粒子Ｃｋのしきい値電圧|Ｖｔｈ（ｃｋ）|＜…＜帯電粒子Ｃ1のしきい値電圧|Ｖｔｈ（ｃ１）|の関係特性を備え、
更新すべき次画面を構成する各画素の、帯電粒子Ｃｎの相対色濃度情報がＲｎ、…、帯電粒子Ｃｋの相対色濃度情報がＲｋ、…、帯電粒子Ｃ１の相対色濃度情報がＲ１であるとき、
電圧が印加される上記所定の期間は、少なくとも、
基底状態にリセットするリセット期間と、
第１の電圧Ｖ１（または−Ｖ１）、または／および０Ｖ電圧を印加するサブフレームを少なくとも含むことで、上記基底状態から、帯電粒子Ｃ１の相対色濃度がＲ１となる第１の中間遷移状態に遷移させる第１のサブフレーム群期間と、
第ｋの電圧Ｖｋ（または−Ｖｋ）を印加するサブフレームを少なくとも含むことで、上記第ｋ−１の中間遷移状態から、帯電粒子Ｃ１の相対色濃度をＲ１に、…、帯電粒子Ｃｋ−１の相対色濃度をＲｋ−１に保持したまま、帯電粒子Ｃｋの相対色濃度が０または1の基底状態となる第ｋ（１）の中間遷移状態に遷移させた後、
上記第ｋの電圧Ｖｋ（または−Ｖｋ）、または／および０Ｖ電圧を少なくとも含むことで、上記ｋ（１）の中間遷移状態から、帯電粒子Ｃ１の相対色濃度をＲ１に、…、帯電粒子Ｃｋ−１の相対色濃度をＲｋ−１に保持したまま、帯電粒子Ｃｋの相対色濃度がＲｋとなる第ｋ（２）の中間遷移状態に順次遷移させる第２〜第ｎ−１のサブフレーム群期間と、
第ｎの電圧Ｖｎ（または−Ｖｎ）を印加するサブフレームを少なくとも含むことで、上記第ｎ−１の中間遷移状態から、帯電粒子Ｃ１の相対色濃度をＲ１に、…、帯電粒子Ｃｎ−１の相対色濃度をＲｎ−１に保持したまま、帯電粒子Ｃｎの相対色濃度が０または1の基底状態となる第ｎ（１）の中間遷移状態に遷移させた後、
第ｎの電圧Ｖｎ（または−Ｖｎ）、または／および０Ｖ電圧を印加するサブフレームを少なくとも含むことで、上記第ｎ（１）の中間遷移状態から、帯電粒子Ｃ１の相対色濃度をＲ１に、…、帯電粒子Ｃｎ−１の相対色濃度をＲｎ−１に保持したまま、帯電粒子Ｃｎの相対色濃度がＲｎになる更新表示（最終遷移）状態に遷移させる第ｎのサブフレーム群期間とから構成され、かつ、
上記各帯電粒子の上記しきい値電圧と、上記各サブフレーム群期間に印加される上記電圧は、
|Ｖｔｈ（ｃｎ）|＜|Ｖｎ|＜|Ｖｔｈ（ｃ(ｎ−１)）|、
|Ｖｔｈ（ｃｋ）|＜|Ｖｋ|＜|Ｖｔｈ（ｃ(ｋ−１)）|、
|Ｖｔｈ（ｃ１）|＜|Ｖ1|
の関係式を満たしていることを特徴としている。
【０１５３】
また、この発明のこの発明の一般化された第４の構成は、スイッチング素子と画素電極とがマトリクス状に配列されている第１の基板と、対向電極が形成されている第２の基板と、上記第１の基板と第２の基板との間に介挿され、電気泳動粒子を含有してなる電気泳動層とを備える表示部と、
画面更新時、電圧制御手段から入力されるドライバデータに従って、上記画素電極と上記対向電極との間の上記電気泳動粒子に所定の期間、所定の電圧を印加して、上記表示部の表示状態を現画面から所定の色濃度の次画面に更新させる電圧印加手段とを備えてなるメモリ性を有する画像表示装置に係り、
上記電気泳動粒子は、互いに色と泳動を開始するしきい値電圧を異にするｎ種類（ｎは、３以上の自然数）の帯電粒子Ｃｎ、…、Ｃｋ、…、Ｃ１（ｋ＝２〜ｎ−１）からなると共に、各帯電粒子Ｃｎ、…、Ｃｋ、…、Ｃ１は、帯電粒子Ｃｎのしきい値電圧|Ｖｔｈ（ｃｎ）|＜…＜帯電粒子Ｃｋのしきい値電圧|Ｖｔｈ（ｃｋ）|＜…＜帯電粒子Ｃ1のしきい値電圧|Ｖｔｈ（ｃ１）|の関係特性を備え、
更新すべき次画面を構成する各画素の、帯電粒子Ｃｎの相対色濃度情報がＲｎ、…、帯電粒子Ｃｋの相対色濃度情報がＲｋ、…、帯電粒子Ｃ１の相対色濃度情報がＲ１であるとき、
電圧が印加される上記所定の期間は、
基底状態にリセットするリセット期間と、
第１の電圧Ｖ１（または−Ｖ１）、および第２の電圧Ｖ２（または−Ｖ２）または／および０Ｖ電圧を印加するサブフレームを少なくとも含んで構成され、前記基底状態から、帯電粒子Ｃ１の相対色濃度をＲ１、帯電粒子Ｃ２の相対色濃度が０または１の基底状態となる第１の中間遷移状態に遷移させる第１のサブフレーム群期間と、
第ｋ−１の電圧Ｖｋ−１（または−Ｖｋ−１）、および第ｋの電圧Ｖｋ（または−Ｖｋ）、または／および０Ｖ電圧を印加するサブフレームを少なくとも含んで構成され、第ｋ−１の中間遷移状態から、帯電粒子Ｃ１の相対色濃度をＲ１に、…、帯電粒子Ｃｋ−１の相対色濃度をＲｋ−１に保持したまま、帯電粒子Ｃｋの相対色濃度が０または１の基底状態となる第２〜第ｎ−１の中間遷移状態に順次遷移させる第２〜第ｎ−１のサブフレーム群期間と、
第ｎの電圧Ｖｎ（または−Ｖｎ）を印加するサブフレームを少なくとも含んで構成され、上記第ｎ−１の中間遷移状態から、帯電粒子Ｃ１の相対色濃度をＲ１に、…、帯電粒子Ｃｎ−１の相対色濃度をＲｎ−１に保持したまま、帯電粒子Ｃｎの相対色濃度がＲｎになる更新表示（最終遷移）状態に遷移させる第ｎのサブフレーム群期間とから構成され、かつ、
上記各帯電粒子の上記しきい値電圧と、上記各サブフレーム群期間に印加される上記電圧は、
|Ｖｔｈ（ｃｎ）|＜|Ｖｎ|＜|Ｖｔｈ（ｃ(ｎ−１)）|、
|Ｖｔｈ（ｃｋ）|＜|Ｖｋ|＜|Ｖｔｈ（ｃ(ｋ−１)）|、
|Ｖｔｈ（ｃ１）|＜|Ｖ1|
の関係式を満たしていることを特徴としている。
【０１５４】
また、この発明のこの発明の一般化された第５の構成は、上記電圧制御手段が、現画面から次画面に更新する画面更新命令を受けると、サブフレーム番号のカウントを開始し、サブフレーム番号がリセット期間であるときは、リセット期間用ルックアップテーブルを参照して、上記ドライバデータを上記電圧印加手段に出力し、
サブフレーム番号が第１のサブフレーム群の番号であるときは、帯電粒子Ｃ１の上記相対色濃度をＲ１とサブフレーム番号とに基づいて、第１のサブフレーム群用ルックアップテーブルを参照して、対応する上記ドライバデータを抽出して上記電圧印加手段に出力し、
サブフレーム番号が第ｋ（ｋ＝２〜ｎ−１）のサブフレーム群の番号であるときは、帯電粒子Ｃｋ、Ｃｋ−１の上記相対色濃度情報Ｒｋ、Ｒｋ−１とサブフレーム番号とに基づいて、第ｋのサブフレーム群用ルックアップテーブルを参照して、対応する上記ドライバデータを抽出して上記電圧印加手段に順次出力し、
サブフレーム番号が第ｎのサブフレーム群の番号であるときは、帯電粒子Ｃｎ、Ｃｎ−１の上記相対色濃度情報Ｒｎ、Ｒｎ−１とサブフレーム番号とに基づいて、第２のサブフレーム群用ルックアップテーブルを参照して、対応する上記ドライバデータを抽出して上記電圧印加手段に出力することを特徴としている。
【０１５５】
なお、上記リセット期間、上記各サブフレーム群のサブフレーム数は、更新すべき次画面の上記表示状態に応じて、それぞれ設定されるようにしても良い。
また、上記基底状態は、電気泳動表示素子が、３色の帯電粒子Ｃ、Ｍ、Ｙ（帯電粒子Ｃのしきい値電圧|Ｖｔｈ（ｃ）|＜帯電粒子Ｍのしきい値電圧|Ｖｔｈ（ｍ）|＜帯電粒子Ｙのしきい値電圧|Ｖｔｈ（ｙ）|）から構成されているときは、更新すべき次画面の表示状態毎に、更新後の帯電粒子Ｙの相対色濃度に近い白または黒に設定されても良い。さらに一般化していえば、ｎ種類（ｎは、３以上の自然数）の帯電粒子Ｃｎ、…、Ｃｋ、…、Ｃ１（ｋ＝２〜ｎ−１）から構成され、各帯電粒子Ｃｎ、…、Ｃｋ、…、Ｃ１が、帯電粒子Ｃｎのしきい値電圧|Ｖｔｈ（ｃｎ）|＜…＜帯電粒子Ｃｋのしきい値電圧|Ｖｔｈ（ｃｋ）|＜…＜帯電粒子Ｃ1のしきい値電圧|Ｖｔｈ（ｃ１）|の関係特性を備えているときは、上記基底状態を、更新すべき次画面の表示状態毎に、更新後の帯電粒子Ｃ１の相対色濃度に近い白または黒に設定するようにしても良い。
また、上記駆動を実現するためのＬＵＴは、サブフレーム群毎の定めても良く、また、サブフレーム群毎の電圧印加手段（データドライバ）の基準電圧や電気泳動粒子の基準電位を定めるＣＯＭ電圧を変えようにしても良い。
また、電気泳動粒子として、蛍光性の帯電色粒子を用いるようにすれば、一段と鮮やかな色彩のカラー画像装置を得ることができる。
【産業上の利用可能性】
【０１５６】
電子書籍、電子新聞、デジタルサイネージなどのカラー電子ペーパ表示装置に広く適用できる。
【符号の説明】
【０１５７】
１        電子ペーパ（表示部）
２        電気泳動表示素子
３        ＴＦＴガラス基板（第１の基板）
４        対向基板（第２の基板）
５        電気泳動層
６        ＴＦＴ（スイッチング素子）
７        画素電極
８        対向電極
９        電子ペーパ部
１３        電子ペーパコントローラ
２２        ＬＵＴ変換回路
２５        ＬＵＴ生成回路
Ｃ、Ｍ、Ｙ        電気泳動粒子（帯電粒子）
【手続補正２】
【補正対象書類名】特許請求の範囲
【補正対象項目名】全文
【補正方法】変更
【補正の内容】
【特許請求の範囲】
【請求項１】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、前記各画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にするｎ種類（ｎは、３以上の自然数）の帯電粒子Ｃｎ、…、Ｃｋ、…、Ｃ１（ｋ＝２〜ｎ−１）からなると共に、各帯電粒子Ｃｎ、…、Ｃｋ、…、Ｃ１は、帯電粒子Ｃｎのしきい値電圧|Ｖｔｈ（ｃｎ）|＜…＜帯電粒子Ｃｋのしきい値電圧|Ｖｔｈ（ｃｋ）|＜…＜帯電粒子Ｃ1のしきい値電圧|Ｖｔｈ（ｃ１）|の関係特性を備え、
画面更新時、前記次画面の前記所定の色濃度は、帯電粒子Ｃ１→、…、→Ｃｋ→、…、→Ｃｎの相対色濃度の順に、各帯電粒子の相対色濃度が確定してゆく構成になされていることを特徴とするメモリ性を有する画像表示装置。
【請求項２】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、前記各画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にするｎ種類（ｎは、３以上の自然数）の帯電粒子からなると共に、
電圧が印加される前記所定の期間は、リセット電圧を印加するリセット期間と、該リセット期間に順次続く第１、…、第ｋ、…、第ｎの電圧印加期間（ｋ＝２〜ｎ−１）とから構成され、
印加される前記所定の電圧は、前記リセット電圧、前記第１の電圧印加期間内に印加される０Ｖ電圧または／および第１の電圧（絶対値）、…、第ｋの電圧印加期間内に印加される０Ｖ電圧または／および第ｋの電圧（絶対値）、…、第ｎの電圧印加期間内に印加される０Ｖ電圧または／および第ｎの電圧（絶対値）とから構成され、かつ、
|第１の印加電圧|＞…＞|第ｋの印加電圧|＞…＞|第ｎの印加電圧|、および
第１の電圧印加期間＜…＜第ｋの電圧印加期間＜…＜第ｎの電圧印加期間
の関係式を満たしていることを特徴とするメモリ性を有する画像表示装置。
【請求項３】
前記リセット期間、または、複数の前記電圧印加期間のうち、任意の電圧印加期間で、次画面の表示状態に到達したときは、以降の電圧印加期間は省略されることを特徴とする請求項１記載のメモリ性を有する画像表示装置。
【請求項４】
前記リセット期間および前記各電圧印加期間は、それぞれ、中間色または／および階調数に応じて設定される複数のサブフレームからなることを特徴とする請求項２または３記載のメモリ性を有する画像表示装置。
【請求項５】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、前記画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にするｎ種類（ｎは、３以上の自然数）の帯電粒子Ｃｎ、…、Ｃｋ、…、Ｃ１（ｋ＝２〜ｎ−１）からなると共に、各帯電粒子Ｃｎ、…、Ｃｋ、…、Ｃ１は、帯電粒子Ｃｎのしきい値電圧|Ｖｔｈ（ｃｎ）|＜…＜帯電粒子Ｃｋのしきい値電圧|Ｖｔｈ（ｃｋ）|＜…＜帯電粒子Ｃ1のしきい値電圧|Ｖｔｈ（ｃ１）|の関係特性を備え、
更新すべき次画面を構成する各画素の、帯電粒子Ｃｎの相対色濃度情報がＲｎ、…、帯電粒子Ｃｋの相対色濃度情報がＲｋ、…、帯電粒子Ｃ１の相対色濃度情報がＲ１であるとき、電圧が印加される前記所定の期間は、少なくとも、リセット電圧を印加して、基底状態にリセットするリセット期間と、第１の電圧Ｖ１（または−Ｖ１）、または／および０Ｖ電圧を印加して、前記基底状態から、帯電粒子Ｃ１の相対色濃度がＲ１となる第１の中間遷移状態に遷移させる第１の電圧印加期間と、
第ｋの電圧Ｖｋ（または−Ｖｋ）または／および０Ｖ電圧を印加して、前記第ｋ−１の中間遷移状態から、帯電粒子Ｃ１の相対色濃度をＲ１に、…、帯電粒子Ｃｋ−１の相対色濃度をＲｋ−１に保持したまま、帯電粒子Ｃｋの相対色濃度がＲｋとなる第ｋの中間遷移状態に順次遷移させる第２〜第ｎ−１の電圧印加期間と、
第ｎの電圧Ｖｎ（または−Ｖｎ）、または／および０Ｖ電圧を印加して、前記第ｎ−１の中間遷移状態から、帯電粒子Ｃ１の相対色濃度をＲ１に、…、帯電粒子Ｃｎ−１の相対色濃度をＲｎ−１に保持したまま、帯電粒子Ｃｎの相対色濃度がＲｎになる更新表示状態に遷移させる第ｎの電圧印加期間とから構成され、かつ、
前記各帯電粒子の前記しきい値電圧と、前記各電圧印加期間に印加される前記電圧は、
|Ｖｔｈ（ｃｎ）|＜|Ｖｎ|＜|Ｖｔｈ（ｃ(ｎ−１)）|、
|Ｖｔｈ（ｃｋ）|＜|Ｖｋ|＜|Ｖｔｈ（ｃ(ｋ−１)）|、
|Ｖｔｈ（ｃ１）|＜|Ｖ1|
の関係式を満たしていることを特徴とするメモリ性を有する画像表示装置。
【請求項６】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、前記画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にするｎ種類（ｎは、３以上の自然数）の帯電粒子Ｃｎ、…、Ｃｋ、…、Ｃ１（ｋ＝２〜ｎ−１）からなると共に、各帯電粒子Ｃｎ、…、Ｃｋ、…、Ｃ１は、帯電粒子Ｃｎのしきい値電圧|Ｖｔｈ（ｃｎ）|＜…＜帯電粒子Ｃｋのしきい値電圧|Ｖｔｈ（ｃｋ）|＜…＜帯電粒子Ｃ1のしきい値電圧|Ｖｔｈ（ｃ１）|の関係特性を備え、
更新すべき次画面を構成する各画素の、帯電粒子Ｃｎの相対色濃度情報がＲｎ、…、帯電粒子Ｃｋの相対色濃度情報がＲｋ、…、帯電粒子Ｃ１の相対色濃度情報がＲ１であるとき、
電圧が印加される前記所定の期間は、少なくとも、
リセット電圧を印加して、基底状態にリセットするリセット期間と、
第１の電圧Ｖ１（または−Ｖ１）、または／および０Ｖ電圧を印加して、前記基底状態から、帯電粒子Ｃ１の相対色濃度がＲ１となる第１の中間遷移状態に遷移させる第１の電圧印加期間と、
第ｋの電圧Ｖｋ（または−Ｖｋ）を印加して、前記第ｋ−１の中間遷移状態から、帯電粒子Ｃ１の相対色濃度をＲ１に、…、帯電粒子Ｃｋ−１の相対色濃度をＲｋ−１に保持したまま、帯電粒子Ｃｋの相対色濃度が０または1の基底状態となる第ｋ（１）の中間遷移状態に遷移させた後、
前記第ｋの電圧Ｖｋ（または−Ｖｋ）、または／および０Ｖ電圧を印加して、前記ｋ（１）の中間遷移状態から、帯電粒子Ｃ１の相対色濃度をＲ１に、…、帯電粒子Ｃｋ−１の相対色濃度をＲｋ−１に保持したまま、帯電粒子Ｃｋの相対色濃度がＲｋとなる第ｋ（２）の中間遷移状態に順次遷移させる第２〜第ｎ−１の電圧印加期間と、
第ｎの電圧Ｖｎ（または−Ｖｎ）を印加して、前記第ｎ−１の中間遷移状態から、帯電粒子Ｃ１の相対色濃度をＲ１に、…、帯電粒子Ｃｎ−１の相対色濃度をＲｎ−１に保持したまま、帯電粒子Ｃｎの相対色濃度が０または1の基底状態となる第ｎ（１）の中間遷移状態に遷移させた後、
第ｎの電圧Ｖｎ（または−Ｖｎ）、または／および０Ｖ電圧を印加して、前記第ｎ（１）の中間遷移状態から、帯電粒子Ｃ１の相対色濃度をＲ１に、…、帯電粒子Ｃｎ−１の相対色濃度をＲｎ−１に保持したまま、帯電粒子Ｃｎの相対色濃度がＲｎになる更新表示状態に遷移させる第ｎの電圧印加期間とから構成され、かつ、
前記各帯電粒子の前記しきい値電圧と、前記各電圧印加期間に印加される前記電圧は、
|Ｖｔｈ（ｃｎ）|＜|Ｖｎ|＜|Ｖｔｈ（ｃ(ｎ−１)）|、
|Ｖｔｈ（ｃｋ）|＜|Ｖｋ|＜|Ｖｔｈ（ｃ(ｋ−１)）|、
|Ｖｔｈ（ｃ１）|＜|Ｖ1|
の関係式を満たしていることを特徴とするメモリ性を有する画像表示装置。
【請求項７】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、前記画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にするｎ種類（ｎは、３以上の自然数）の帯電粒子Ｃｎ、…、Ｃｋ、…、Ｃ１（ｋ＝２〜ｎ−１）からなると共に、各帯電粒子Ｃｎ、…、Ｃｋ、…、Ｃ１は、帯電粒子Ｃｎのしきい値電圧|Ｖｔｈ（ｃｎ）|＜…＜帯電粒子Ｃｋのしきい値電圧|Ｖｔｈ（ｃｋ）|＜…＜帯電粒子Ｃ1のしきい値電圧|Ｖｔｈ（ｃ１）|の関係特性を備え、
更新すべき次画面を構成する各画素の、帯電粒子Ｃｎの相対色濃度情報がＲｎ、…、帯電粒子Ｃｋの相対色濃度情報がＲｋ、…、帯電粒子Ｃ１の相対色濃度情報がＲ１であるとき、
電圧が印加される前記所定の期間は、
リセット電圧を印加して、基底状態にリセットするリセット期間と、
第１の電圧Ｖ１（または−Ｖ１）、および第２の電圧Ｖ２（または−Ｖ２）または／および０Ｖ電圧を印加して、前記基底状態から、帯電粒子Ｃ１の相対色濃度がＲ１、帯電粒子Ｃ２の相対色濃度が０または１の基底状態となる第１の中間遷移状態に遷移させる第１の電圧印加期間と、
第ｋ−１の電圧Ｖｋ−１（または−Ｖｋ−１）、および第ｋの電圧Ｖｋ（または−Ｖｋ）、または／および０Ｖ電圧を印加して、第ｋ−１の中間遷移状態から、帯電粒子Ｃ１の相対色濃度をＲ１に、…、帯電粒子Ｃｋ−１の相対色濃度をＲｋ−１に保持したまま、帯電粒子Ｃｋの相対色濃度が０または１の基底状態となる第２〜第ｎ−１の中間遷移状態に順次遷移させる第２〜第ｎ−１の電圧印加期間と、
第ｎの電圧Ｖｎ（または−Ｖｎ）を印加して、前記第ｎ−１の中間遷移状態から、帯電粒子Ｃ１の相対色濃度をＲ１に、…、帯電粒子Ｃｎ−１の相対色濃度をＲｎ−１に保持したまま、帯電粒子Ｃｎの相対色濃度がＲｎになる更新表示状態に遷移させる第ｎの電圧印加期間とから構成され、かつ、
前記各帯電粒子の前記しきい値電圧と、前記各電圧印加期間に印加される前記電圧は、
|Ｖｔｈ（ｃｎ）|＜|Ｖｎ|＜|Ｖｔｈ（ｃ(ｎ−１)）|、
|Ｖｔｈ（ｃｋ）|＜|Ｖｋ|＜|Ｖｔｈ（ｃ(ｋ−１)）|、
|Ｖｔｈ（ｃ１）|＜|Ｖ1|
の関係式を満たしていることを特徴とするメモリ性を有する画像表示装置。
【請求項８】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、前記画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にする３種類の帯電粒子Ｃ、Ｍ、Ｙからなると共に、各帯電粒子Ｃ、Ｍ、Ｙは、帯電粒子Ｃのしきい値電圧|Ｖｔｈ（ｃ）|＜帯電粒子Ｍのしきい値電圧|Ｖｔｈ（ｍ）|＜帯電粒子Ｙのしきい値電圧|Ｖｔｈ（ｙ）|の関係特性を備え、
更新すべき次画面を構成する各画素の、帯電粒子Ｃの相対色濃度情報がＲｃ、帯電粒子Ｍの相対色濃度情報がＲｍ、帯電粒子Ｙの相対色濃度情報がＲｙであるとき、
電圧が印加される前記所定の期間は、少なくとも、
リセット電圧を印加して、基底状態にリセットするリセット期間と、
第１の電圧Ｖ１（または−Ｖ１）、または／および０Ｖ電圧を印加して、前記基底状態から、帯電粒子Ｙの相対色濃度がＲｙとなる第１の中間遷移状態に遷移させる第１の電圧印加期間と、
第２の電圧Ｖ２（または−Ｖ２）、または／および０Ｖ電圧を印加して、前記第１の中間遷移状態から、帯電粒子Ｙの相対色濃度をＲｙに保持したまま、帯電粒子Ｍの相対色濃度がＲｍとなる第２の中間遷移状態に遷移させる第２の電圧印加期間と、
第３の電圧Ｖ３（または−Ｖ３）、または／および０Ｖ電圧を印加して、前記第２の中間遷移状態から、帯電粒子Ｍ、Ｙの相対色濃度をＲｍ、Ｒyに保持したまま、帯電粒子Ｃの相対色濃度がＲｃになる更新表示状態に遷移させる第３の電圧印加期間とから構成され、かつ、
前記各帯電粒子の前記しきい値電圧と、前記各電圧印加期間に印加される前記電圧は、
|Ｖｔｈ（ｃ）|＜|Ｖ３|＜|Ｖｔｈ（ｍ）|＜|Ｖ２|＜|Ｖｔｈ（ｙ）|＜|Ｖ1|
の関係式を満たしていることを特徴とするメモリ性を有する画像表示装置。
【請求項９】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、前記画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にする３種類の帯電粒子Ｃ、Ｍ、Ｙからなると共に、各帯電粒子Ｃ、Ｍ、Ｙは、帯電粒子Ｃのしきい値電圧|Ｖｔｈ（ｃ）|＜帯電粒子Ｍのしきい値電圧|Ｖｔｈ（ｍ）|＜帯電粒子Ｙのしきい値電圧|Ｖｔｈ（ｙ）|の関係特性を備え、
更新すべき次画面を構成する各画素の、帯電粒子Ｃの相対色濃度情報がＲｃ、帯電粒子Ｍの相対色濃度情報がＲｍ、帯電粒子Ｙの相対色濃度情報がＲｙであるとき、
電圧が印加される前記所定の期間は、少なくとも、
リセット電圧を印加して、基底状態にリセットするリセット期間と、
第１の電圧Ｖ１（または−Ｖ１）、または／および０Ｖ電圧を印加して、前記基底状態から、帯電粒子Ｙの相対色濃度がＲyとなる第１の中間遷移状態に遷移させる第１の電圧印加期間と、
第２の電圧Ｖ２（または−Ｖ２）を印加して、前記第１の中間遷移状態から、帯電粒子Ｙの相対色濃度をＲｙに保持したまま、帯電粒子Ｍの相対色濃度が０または１の基底状態となる第２の中間遷移状態に遷移させた後、
前記第２の電圧Ｖ２（または−Ｖ２）、または／および０Ｖ電圧を印加して、前記第２の中間遷移状態から、帯電粒子Ｙの相対色濃度をＲｙに保持したまま、帯電粒子Ｍの相対色濃度がＲｍとなる第３の中間遷移状態に遷移させる第２の電圧印加期間と、
第３の電圧Ｖ３（または−Ｖ３）を印加して、前記第３の中間遷移状態から、帯電粒子Ｍ、Ｙの相対色濃度をＲｍ、Ｒｙに保持したまま、帯電粒子Ｃの相対色濃度が０または１の基底状態となる第４の中間遷移状態に遷移させた後、
前記第３の電圧Ｖ３（または−Ｖ３）、または／および０Ｖ電圧を印加して、前記第４の中間遷移状態から、帯電粒子Ｍ、Ｙの相対色濃度をＲｍ、Ｒｙに保持したまま、帯電粒子Ｃの相対色濃度がＲｃになる更新表示状態に遷移させる第３の電圧印加期間とから構成され、かつ、
前記各帯電粒子の前記しきい値電圧と、前記各電圧印加期間に印加される前記電圧は、
|Ｖｔｈ（ｃ）|＜|Ｖ３|＜|Ｖｔｈ（ｍ）|＜|Ｖ２|＜|Ｖｔｈ（ｙ）|＜|Ｖ1|
の関係式を満たしていることを特徴とするメモリ性を有する画像表示装置。
【請求項１０】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、前記画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にする３種類の帯電粒子Ｃ、Ｍ、Ｙからなると共に、各帯電粒子Ｃ、Ｍ、Ｙは、帯電粒子Ｃのしきい値電圧|Ｖｔｈ（ｃ）|＜帯電粒子Ｍのしきい値電圧|Ｖｔｈ（ｍ）|＜帯電粒子Ｙのしきい値電圧|Ｖｔｈ（ｙ）|の関係特性を備え、
更新すべき次画面を構成する各画素の、帯電粒子Ｃの相対色濃度情報がＲｃ、帯電粒子Ｍの相対色濃度情報がＲｍ、帯電粒子Ｙの相対色濃度情報がＲｙであるとき、
電圧が印加される前記所定の期間は、少なくとも、
リセット電圧を印加して、基底状態にリセットするリセット期間と、
第１の電圧Ｖ１（または−Ｖ１）、および第２の電圧Ｖ２（または−Ｖ２）または／および０Ｖ電圧を印加して、前記基底状態から、帯電粒子Ｙの相対色濃度がＲｙ、帯電粒子Ｍの相対色濃度が０または１の基底状態となる第１の中間遷移状態に遷移させる第１の電圧印加期間と
前記第２の電圧Ｖ２（または−Ｖ２）、および第３の電圧Ｖ３（または−Ｖ３）を印加して、前記第１の中間遷移状態から、帯電粒子Ｙの相対色濃度がＲｙ、帯電粒子Ｍの相対色濃度がＲｍ、帯電粒子Ｃ濃度が０または１の基底状態となる第２の中間遷移状態に遷移させる第２の電圧印加期間と、
前記第３の電圧Ｖ３（または−Ｖ３）、または／および０Ｖ電圧を印加して、前記第２の中間遷移状態から、帯電粒子Ｍ、Ｙの相対色濃度をＲｍ、Ｒｙに保持したまま、帯電粒子Ｃの相対色濃度がＲｃになる更新表示状態に遷移させる第３の電圧印加期間とから構成され、かつ、
前記各帯電粒子の前記しきい値電圧と、前記各電圧印加期間に印加される前記電圧は、
|Ｖｔｈ（ｃ）|＜|Ｖ３|＜|Ｖｔｈ（ｍ）|＜|Ｖ２|＜|Ｖｔｈ（ｙ）|＜|Ｖ1|
の関係式を満たしていることを特徴とするメモリ性を有する画像表示装置。
【請求項１１】
前記基底状態、または複数の前記中間遷移状態のうち、任意の中間遷移状態が、前記更新表示状態と一致するときは、以降の前記電圧印加期間を省略することを特徴とする請求項５ないし１０のいずれか一に記載のメモリ性を有する画像表示装置。
【請求項１２】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、電圧制御手段から入力されるドライバデータに従って、前記画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にするｎ種類（ｎは３以上の自然数）の帯電粒子Ｃｎ、…、Ｃｋ、…、Ｃ１（ｋ＝２〜ｎ−１）からなると共に、各帯電粒子Ｃｎ、…、Ｃｋ、…、Ｃ１は、帯電粒子Ｃｎのしきい値電圧｜Ｖｔｈ（ｃｎ）｜＜…＜｜Ｖｔｈ（ｃｋ）｜＜…＜｜Ｖｔｈ（ｃ１）｜の関係特性を備え、
更新すべき画面の次画面を構成する各画素の、帯電粒子Ｃｎの相対色濃度情報がＲｎ、…、帯電粒子Ｃｋの相対色濃度情報がＲｋ、…、帯電粒子Ｃ１の相対色濃度情報がＲ１であるとき、
電圧が印加される前記所定の期間は、少なくとも
基底状態にリセットするリセット期間と、
第１の電圧Ｖ１（または−Ｖ１）、または／および０Ｖを印加するサブフレームを少なくとも含んで構成され、前記基底状態から、帯電粒子Ｃ１が相対色濃度Ｒ１となる第１の中間遷移状態に遷移させる第１のサブフレーム群期間と、
第ｋの電圧Ｖｋ（または−Ｖｋ）、または／および０Ｖ電圧を印加するサブフレームを少なくとも含んで構成され、前記第ｋ−１の中間遷移状態から、帯電粒子Ｃ１の相対色濃度をＲ１に、…、帯電粒子Ｃｋ−１の相対色濃度をＲｋ−１に保持したまま、帯電粒子Ｃｋの相対色濃度がＲｋとなる第ｋの中間遷移状態に遷移させる第２〜第ｎ−１のサブフレーム群期間と、
第ｎの電圧Ｖｎ（または−Ｖｎ）、または／および０Ｖ電圧を印加するサブフレームを少なくとも含んで構成され、前記第ｎ−１の中間遷移状態から、帯電粒子Ｃ１の相対色濃度をＲ１に、…、帯電粒子Ｃｎ−１の相対色濃度をＲｎ−１に保持したまま、帯電粒子Ｃｎの相対色濃度がＲｎになる更新表示状態に遷移させる第ｎのサブフレーム群期間とから構成され、かつ、
前記各帯電粒子の前記しきい値電圧と、前記各サブフレーム群期間に印加される前記電圧は、
｜Ｖｔｈ（ｃｎ）｜＜｜Ｖｎ｜＜｜Ｖｔｈ（ｃ（ｎ−１））｜、
｜Ｖｔｈ（ｃｋ）｜＜｜Ｖｋ｜＜｜Ｖｔｈ（ｃ（ｋ−１））｜、
｜Ｖｔｈ（ｃ１）｜＜｜Ｖ１｜
の関係式を満たしていることを特徴とするメモリ性を有する画像表示装置。
【請求項１３】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、電圧制御手段から入力されるドライバデータに従って、前記画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にするｎ種類（ｎは、３以上の自然数）の帯電粒子Ｃｎ、…、Ｃｋ、…、Ｃ１（ｋ＝２〜ｎ−１）からなると共に、各帯電粒子Ｃｎ、…、Ｃｋ、…、Ｃ１は、帯電粒子Ｃｎのしきい値電圧|Ｖｔｈ（ｃｎ）|＜…＜帯電粒子Ｃｋのしきい値電圧|Ｖｔｈ（ｃｋ）|＜…＜帯電粒子Ｃ1のしきい値電圧|Ｖｔｈ（ｃ１）|の関係特性を備え、
更新すべき次画面を構成する各画素の、帯電粒子Ｃｎの相対色濃度情報がＲｎ、…、帯電粒子Ｃｋの相対色濃度情報がＲｋ、…、帯電粒子Ｃ１の相対色濃度情報がＲ１であるとき、
電圧が印加される前記所定の期間は、少なくとも、
基底状態にリセットするリセット期間と、
第１の電圧Ｖ１（または−Ｖ１）、または／および０Ｖ電圧を印加するサブフレームを少なくとも含むことで、前記基底状態から、帯電粒子Ｃ１の相対色濃度がＲ１となる第１の中間遷移状態に遷移させる第１のサブフレーム群期間と、
第ｋの電圧Ｖｋ（または−Ｖｋ）を印加するサブフレームを少なくとも含むことで、前記第ｋ−１の中間遷移状態から、帯電粒子Ｃ１の相対色濃度をＲ１に、…、帯電粒子Ｃｋ−１の相対色濃度をＲｋ−１に保持したまま、帯電粒子Ｃｋの相対色濃度が０または1の基底状態となる第ｋ（１）の中間遷移状態に遷移させた後、
前記第ｋの電圧Ｖｋ（または−Ｖｋ）、または／および０Ｖ電圧を少なくとも含むことで、前記ｋ（１）の中間遷移状態から、帯電粒子Ｃ１の相対色濃度をＲ１に、…、帯電粒子Ｃｋ−１の相対色濃度をＲｋ−１に保持したまま、帯電粒子Ｃｋの相対色濃度がＲｋとなる第ｋ（２）の中間遷移状態に順次遷移させる第２〜第ｎ−１のサブフレーム群期間と、
第ｎの電圧Ｖｎ（または−Ｖｎ）を印加するサブフレームを少なくとも含むことで、前記第ｎ−１の中間遷移状態から、帯電粒子Ｃ１の相対色濃度をＲ１に、…、帯電粒子Ｃｎ−１の相対色濃度をＲｎ−１に保持したまま、帯電粒子Ｃｎの相対色濃度が０または1の基底状態となる第ｎ（１）の中間遷移状態に遷移させた後、
第ｎの電圧Ｖｎ（または−Ｖｎ）、または／および０Ｖ電圧を印加するサブフレームを少なくとも含むことで、前記第ｎ（１）の中間遷移状態から、帯電粒子Ｃ１の相対色濃度をＲ１に、…、帯電粒子Ｃｎ−１の相対色濃度をＲｎ−１に保持したまま、帯電粒子Ｃｎの相対色濃度がＲｎになる更新表示状態に遷移させる第ｎのサブフレーム群期間とから構成され、かつ、
前記各帯電粒子の前記しきい値電圧と、前記各サブフレーム群期間に印加される前記電圧は、
|Ｖｔｈ（ｃｎ）|＜|Ｖｎ|＜|Ｖｔｈ（ｃ(ｎ−１)）|、
|Ｖｔｈ（ｃｋ）|＜|Ｖｋ|＜|Ｖｔｈ（ｃ(ｋ−１)）|、
|Ｖｔｈ（ｃ１）|＜|Ｖ1|
の関係式を満たしていることを特徴とするメモリ性を有する画像表示装置。
【請求項１４】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、電圧制御手段から入力されるドライバデータに従って、前記画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にするｎ種類（ｎは、３以上の自然数）の帯電粒子Ｃｎ、…、Ｃｋ、…、Ｃ１（ｋ＝２〜ｎ−１）からなると共に、各帯電粒子Ｃｎ、…、Ｃｋ、…、Ｃ１は、帯電粒子Ｃｎのしきい値電圧|Ｖｔｈ（ｃｎ）|＜…＜帯電粒子Ｃｋのしきい値電圧|Ｖｔｈ（ｃｋ）|＜…＜帯電粒子Ｃ1のしきい値電圧|Ｖｔｈ（ｃ１）|の関係特性を備え、
更新すべき次画面を構成する各画素の、帯電粒子Ｃｎの相対色濃度情報がＲｎ、…、帯電粒子Ｃｋの相対色濃度情報がＲｋ、…、帯電粒子Ｃ１の相対色濃度情報がＲ１であるとき、
電圧が印加される前記所定の期間は、少なくとも、
基底状態にリセットするリセット期間と、
第１の電圧Ｖ１（または−Ｖ１）、および第２の電圧Ｖ２（または−Ｖ２）または／および０Ｖ電圧を印加するサブフレームを少なくとも含んで構成され、前記基底状態から、帯電粒子Ｃ１の相対色濃度をＲ１、帯電粒子Ｃ２の相対色濃度が０または１の基底状態となる第１の中間遷移状態に遷移させる第１のサブフレーム群期間と、
第ｋ−１の電圧Ｖｋ−１（または−Ｖｋ−１）、および第ｋの電圧Ｖｋ（または−Ｖｋ）、または／および０Ｖ電圧を印加するサブフレームを少なくとも含んで構成され、第ｋ−１の中間遷移状態から、帯電粒子Ｃ１の相対色濃度をＲ１に、…、帯電粒子Ｃｋ−１の相対色濃度をＲｋ−１に保持したまま、帯電粒子Ｃｋの相対色濃度が０または１の基底状態となる第２〜第ｎ−１の中間遷移状態に順次遷移させる第２〜第ｎ−１のサブフレーム群期間と、
第ｎの電圧Ｖｎ（または−Ｖｎ）を印加するサブフレームを少なくとも含んで構成され、前記第ｎ−１の中間遷移状態から、帯電粒子Ｃ１の相対色濃度をＲ１に、…、帯電粒子Ｃｎ−１の相対色濃度をＲｎ−１に保持したまま、帯電粒子Ｃｎの相対色濃度がＲｎになる更新表示状態に遷移させる第ｎのサブフレーム群期間とから構成され、かつ、
前記各帯電粒子の前記しきい値電圧と、前記各サブフレーム群期間に印加される前記電圧は、
|Ｖｔｈ（ｃｎ）|＜|Ｖｎ|＜|Ｖｔｈ（ｃ(ｎ−１)）|、
|Ｖｔｈ（ｃｋ）|＜|Ｖｋ|＜|Ｖｔｈ（ｃ(ｋ−１)）|、
|Ｖｔｈ（ｃ１）|＜|Ｖ1|
の関係式を満たしていることを特徴とするメモリ性を有する画像表示装置。
【請求項１５】
前記電圧制御手段は、
現画面から次画面に更新する画面更新命令を受けると、サブフレーム番号のカウントを開始し、
サブフレーム番号がリセット期間であるときは、リセット期間用ルックアップテーブルを参照して、前記ドライバデータを前記電圧印加手段に出力し、
サブフレーム番号が第１のサブフレーム群の番号であるときは、帯電粒子Ｃ１の前記相対色濃度をＲ１とサブフレーム番号とに基づいて、第１のサブフレーム群用ルックアップテーブルを参照して、対応する前記ドライバデータを抽出して前記電圧印加手段に出力し、
サブフレーム番号が第ｋ（ｋ＝２〜ｎ−１）のサブフレーム群の番号であるときは、帯電粒子Ｃｋ、Ｃｋ−１の前記相対色濃度情報Ｒｋ、Ｒｋ−１とサブフレーム番号とに基づ
いて、第ｋのサブフレーム群用ルックアップテーブルを参照して、対応する前記ドライバデータを抽出して前記電圧印加手段に順次出力し、
サブフレーム番号が第ｎのサブフレーム群の番号であるときは、帯電粒子Ｃｎ、Ｃｎ−１の前記相対色濃度情報Ｒｎ、Ｒｎ−１とサブフレーム番号とに基づいて、第２のサブフレーム群用ルックアップテーブルを参照して、対応する前記ドライバデータを抽出して前記電圧印加手段に出力することを特徴とする請求項１２、１３または１４記載のメモリ性を有する画像表示装置。
【請求項１６】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、電圧制御手段から入力されるドライバデータに従って、前記画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にする３種類の帯電粒子Ｃ、Ｍ、Ｙからなると共に、各帯電粒子Ｃ、Ｍ、Ｙは、帯電粒子Ｃのしきい値電圧|Ｖｔｈ（ｃ）|＜帯電粒子Ｍのしきい値電圧|Ｖｔｈ（ｍ）|＜帯電粒子Ｙのしきい値電圧|Ｖｔｈ（ｙ）|の関係特性を備え、
更新すべき次画面を構成する各画素の、帯電粒子Ｃの相対色濃度情報がＲｃ、帯電粒子Ｍの相対色濃度情報がＲｍ、帯電粒子Ｙの相対色濃度情報がＲｙであるとき、
電圧が印加される前記所定の期間は、少なくとも、
基底状態にリセットするリセット期間と、
第１の電圧Ｖ１（または−Ｖ１）、または／および０Ｖ電圧を印加するサブフレームを少なくとも含んで構成され、前記基底状態から、帯電粒子Ｙの相対色濃度がＲｙとなる第１の中間遷移状態に遷移させる第１のサブフレーム群期間と、
第２の電圧Ｖ２（または−Ｖ２）、または／および０Ｖ電圧を印加するサブフレームを少なくとも含んで構成され、前記第１の中間遷移状態から、帯電粒子Ｙの相対色濃度をＲｙに保持したまま、帯電粒子Ｍの相対色濃度がＲｍとなる第２の中間遷移状態に遷移させる第２のサブフレーム群期間と、
第３の電圧Ｖ３（または−Ｖ３）、または／および０Ｖ電圧を印加するサブフレームを少なくとも含んで構成され、前記第２の中間遷移状態から、帯電粒子Ｍ、Ｙの相対色濃度をＲｍ、Ｒyに保持したまま、帯電粒子Ｃの相対色濃度がＲｃになる更新表示状態に遷移させる第３のサブフレーム群期間とから構成され、かつ、
前記各帯電粒子の前記しきい値電圧と、前記各サブフレーム群期間に印加される前記電圧は、
|Ｖｔｈ（ｃ）|＜|Ｖ３|＜|Ｖｔｈ（ｍ）|＜|Ｖ２|＜|Ｖｔｈ（ｙ）|＜|Ｖ1|
の関係式を満たしていることを特徴とするメモリ性を有する画像表示装置。
【請求項１７】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、電圧制御手段から入力されるドライバデータに従って、前記画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にする３種類の帯電粒子Ｃ、Ｍ、Ｙからなると共に、各帯電粒子Ｃ、Ｍ、Ｙは、帯電粒子Ｃのしきい値電圧|Ｖｔｈ（ｃ）|＜帯電粒子Ｍのしきい値電圧|Ｖｔｈ（ｍ）|＜帯電粒子Ｙのしきい値電圧|Ｖｔｈ（ｙ）|の関係特性を備え、
更新すべき次画面を構成する各画素の、帯電粒子Ｃの相対色濃度情報がＲｃ、帯電粒子Ｍの相対色濃度情報がＲｍ、帯電粒子Ｙの相対色濃度情報がＲｙであるとき、
電圧が印加される前記所定の期間は、少なくとも、
基底状態にリセットするリセット期間と、
第１の電圧Ｖ１（または−Ｖ１）、または／および０Ｖ電圧を印加するサブフレームを少なくとも含んで構成され、前記基底状態から、帯電粒子Ｙの相対色濃度がＲｙとなる第１の中間遷移状態に遷移させる第１のサブフレーム群期間と、
第２の電圧Ｖ２（または−Ｖ２）を印加するサブフレームを少なくとも含んで構成され、前記第１の中間遷移状態から、帯電粒子Ｙの相対色濃度をＲｙに保持したまま、帯電粒子Ｍの相対色濃度が０または１の基底状態となる第２の中間遷移状態に遷移させた後、
前記第２の電圧Ｖ２（または−Ｖ２）、または／および０Ｖ電圧を印加するサブフレームを少なくとも含んで構成され、前記第２の中間遷移状態から、帯電粒子Ｙの相対色濃度をＲｙに保持したまま、帯電粒子Ｍの相対色濃度がＲｍとなる第３の中間遷移状態に遷移させる第２のサブフレーム群期間と、
第３の電圧Ｖ３（または−Ｖ３）を印加するサブフレームを少なくとも含んで構成され、前記第３の中間遷移状態から、帯電粒子Ｍ、Ｙの相対色濃度をＲｍ、Ｒｙに保持したまま、帯電粒子Ｃの相対色濃度が０または１の基底状態となる第４の中間遷移状態に遷移させた後、
前記第３の電圧Ｖ３（または−Ｖ３）、または／および０Ｖ電圧を印加するサブフレームを少なくとも含んで構成され、前記第４の中間遷移状態から、帯電粒子Ｍ、Ｙの相対色濃度をＲｍ、Ｒｙに保持したまま、帯電粒子Ｃの相対色濃度がＲｃになる更新表示状態に遷移させる第３のサブフレーム群期間とから構成され、かつ、
前記各帯電粒子の前記しきい値電圧と、前記各サブフレーム群期間に印加される前記電圧は、
|Ｖｔｈ（ｃ）|＜|Ｖ３|＜|Ｖｔｈ（ｍ）|＜|Ｖ２|＜|Ｖｔｈ（ｙ）|＜|Ｖ1|
の関係式を満たしていることを特徴とするメモリ性を有する画像表示装置。
【請求項１８】
スイッチング素子と画素電極とがマトリクス状に配列されている第１の基板と、対向電極が形成されている第２の基板と、前記第１の基板と第２の基板との間に介挿され、電気泳動粒子を含有してなる電気泳動層とを備える表示部と、
画面更新時、電圧制御手段から入力されるドライバデータに従って、前記画素電極と前記対向電極との間の前記電気泳動粒子に所定の期間、所定の電圧を印加して、前記表示部の表示状態を現画面から所定の色濃度の次画面に更新させる電圧印加手段とを備えてなるメモリ性を有する画像表示装置であって、
前記電気泳動粒子は、互いに色と泳動を開始するしきい値電圧を異にする３種類の帯電粒子Ｃ、Ｍ、Ｙからなると共に、各帯電粒子Ｃ、Ｍ、Ｙは、帯電粒子Ｃのしきい値電圧|Ｖｔｈ（ｃ）|＜帯電粒子Ｍのしきい値電圧|Ｖｔｈ（ｍ）|＜帯電粒子Ｙのしきい値電圧|Ｖｔｈ（ｙ）|の関係特性を備え、
更新すべき次画面を構成する各画素の、帯電粒子Ｃの相対色濃度情報がＲｃ、帯電粒子Ｍの相対色濃度情報がＲｍ、帯電粒子Ｙの相対色濃度情報がＲｙであるとき、
電圧が印加される前記所定の期間は、少なくとも、
基底状態にリセットするリセット期間と、
第１の電圧Ｖ１（または−Ｖ１）、および第２の電圧Ｖ２（または−Ｖ２）または／および０Ｖ電圧を印加するサブフレームを少なくとも含んで構成され、前記基底状態から、帯電粒子Ｙの相対色濃度をＲｙ、帯電粒子Ｍの相対色濃度が０または１の基底状態となる第１の中間遷移状態に遷移する第１のサブフレーム群期間と、
前記第２の電圧Ｖ２（または−Ｖ２）、および第３の電圧Ｖ３（または−Ｖ３）を印加するサブフレームを少なくとも含んで構成され、前記第１の中間遷移状態から、帯電粒子Ｙの相対色濃度をＲｙ、帯電粒子Ｍの相対色濃度がＲｍ、帯電粒子Ｃ濃度が０または１の基底状態となる第２の中間遷移状態に遷移する第２のサブフレーム群期間と、
前記第３の電圧Ｖ３（または−Ｖ３）、または／および０Ｖ電圧を印加するサブフレームを少なくとも含んで構成され、前記第２の中間遷移状態から、帯電粒子Ｍ、Ｙの相対色濃度をＲｍ、Ｒｙに保持したまま、帯電粒子Ｃの相対色濃度がＲｃになる更新表示状態に遷移させる第３のサブフレーム群期間とから構成され、かつ、
前記各帯電粒子の前記しきい値電圧と、前記各サブフレーム群期間に印加される前記電圧は、
|Ｖｔｈ（ｃ）|＜|Ｖ３|＜|Ｖｔｈ（ｍ）|＜|Ｖ２|＜|Ｖｔｈ（ｙ）|＜|Ｖ1|
の関係式を満たしていることを特徴とするメモリ性を有する画像表示装置。
【請求項１９】
前記電圧制御手段は、
現画面から次画面に更新する画面更新命令を受けると、サブフレーム番号のカウントを開始し、
サブフレーム番号がリセット期間であるときは、リセット期間用ルックアップテーブルを参照して、前記ドライバデータを前記電圧印加手段に出力し、
サブフレーム番号が第１のサブフレーム群の番号であるときは、帯電粒子Ｙの前記相対色濃度情報Ｒｙとサブフレーム番号とに基づいて、第１のサブフレーム群用ルックアップテーブルを参照して、対応する前記ドライバデータを抽出して前記電圧印加手段に出力し、
サブフレーム番号が第２のサブフレーム群の番号であるときは、帯電粒子Ｍ、Ｙの前記相対色濃度情報Ｒｍ、Ｒyとサブフレーム番号とに基づいて、第２のサブフレーム群用ルックアップテーブルを参照して、対応する前記ドライバデータを抽出して前記電圧印加手段に出力し、
サブフレーム番号が第３のサブフレーム群の番号であるときは、帯電粒子Ｍ、Ｃの前記相対色濃度情報Ｒｍ、Ｒｃとサブフレーム番号とに基づいて、第３のサブフレーム群用ルックアップテーブルを参照して、対応する前記ドライバデータを抽出して前記電圧印加手段に出力することを特徴とする請求項１６、１７または１８記載のメモリ性を有する画像表示装置。
【請求項２０】
スイッチング素子と画素電極とがマトリクス状に配列されている第１の基板と、対向電極が形成されている第２の基板と、前記第１の基板と第２の基板の間に挟持され、電気泳動粒子を含有してなる電気泳動層とを備える表示部と、
画面更新時、前記画素電極と前記対向電極との間の前記電気泳動粒子に所定の期間、所定の電圧を印加して、前記表示部の表示状態を現画面から所定の色濃度の次画面に更新させる電圧印加手段を備えてなるメモリ性を有する画像表示装置であって、
前記電気泳動粒子は、互いに色と泳動を開始するしきい値電圧を異にする２種類の帯電粒子Ｃ、Ｒからなると共に、各帯電粒子Ｃ、Ｒは、帯電粒子Ｃのしきい値電圧｜Ｖｔｈ（ｃ）｜＜帯電粒子Ｒのしきい値電圧｜Ｖｔｈ（ｒ）｜の関係特性を備え、
更新すべき次画面を構成する各画素の、帯電粒子Ｃの相対色濃度がＲｃ、帯電粒子Ｒの相対色濃度がＲｒであるとき、電圧が印加される前記所定の期間は、少なくとも、
リセット電圧を印加して基底状態にリセットするリセット期間と、
第１の電圧Ｖ１、−Ｖ１、または／および０Ｖ電圧を印加するサブフレームを少なくとも含んで構成され、帯電粒子Ｒの色濃度がＲｒとなる中間遷移状態に遷移させる第１のサブフレーム群と、第２の電圧Ｖ２，−Ｖ２、または／および０Ｖ電圧を印加するサブフレームを少なくとも含んで構成され、帯電粒子Ｒの色濃度をＲｒに保持したまま、帯電粒子Ｃの相対色濃度がＲｃになる更新表示状態に遷移させる第２のサブフレーム群から構成され、かつ、電圧Ｖ１，Ｖ２は、
｜Ｖｔｈ（ｃ）｜＜｜Ｖ２｜＜｜Ｖｔｈ（ｒ）｜＜｜Ｖ１｜の関係式を満たしていることを特徴とするメモリ性を有する画像表示装置。
【請求項２１】
前記基底状態、または、複数の前記中間遷移状態のうち、任意の中間遷移状態が、前記更新表示状態と一致するときは、以降のサブフレームは省略される構成になされていることを特徴とする請求項１２ないし２０のいずれか一に記載のメモリ性を有する画像表示装置。
【請求項２２】
前記リセット期間および前記各サブフレーム群期間は、それぞれ、中間色または／および階調数に応じて設定される複数のサブフレームからなることを特徴とする請求項１２ないし２０のいずれか一に記載のメモリ性を有する画像表示装置。
【請求項２３】
前記リセット期間、前記各サブフレーム群期間を構成するサブフレーム数は、更新すべき次画面の前記表示状態に応じて、それぞれ設定されることを特徴とする請求項１２ないし２０のいずれか一に記載のメモリ性を有する画像表示装置。
【請求項２４】
前記基底状態は、更新すべき次画面の表示状態毎に、更新後の帯電粒子Ｙの相対色濃度に近い白または黒に設定されることを特徴とする請求項８、９、１０、１６、１７または１８記載のメモリ性を有する画像表示装置。
【請求項２５】
前記基底状態は、更新すべき次画面の表示状態毎に、更新後の帯電粒子Ｃ１の相対色濃度に近い白または黒に設定されることを特徴とする請求項５、６、７、１２、１３または１４記載のメモリ性を有する画像表示装置。
【請求項２６】
サブフレーム毎に、電圧印加手段の基準電圧を変化させることを特徴とする請求項１２ないし２０のいずれか一に記載のメモリ性を有する画像表示装置。
【請求項２７】
サブフレーム毎に、前記対向電極に印加される、電気泳動粒子の基準電位を定めるＣＯＭ電圧を変化させることを特徴とする請求項１２ないし２０のいずれか一に記載のメモリ性を有する画像表示装置。
【請求項２８】
前記各帯電粒子の極性が全て同極性であることを特徴とする請求項１ないし２７のいずれか一に記載のメモリ性を有する画像表示装置。
【請求項２９】
前記各帯電粒子のうち、一部の粒子の極性が異極性であることを特徴とする請求項１ないし２７のいずれか一に記載のメモリ性を有する画像表示装置。